(57)【特許請求の範囲】
【請求項１】
定められた複数の処理を順番に実行する画像処理システムにおいて前記複数の処理の実行を制御する処理実行制御装置から受信した画像形成出力の命令情報に基づいて画像形成出力の実行を制御する画像形成出力制御装置であって、
前記処理実行制御装置は、前記複数の処理のひとつとして、第一の画像形成装置が画像形成出力に際して参照する情報である第一の描画情報を、画像形成出力の画像の情報である出力対象画像情報に基づいて生成する制御側描画情報生成部を含み、
前記画像形成出力制御装置は、
複数の前記制御側描画情報生成部の夫々に対応した複数の出力側描画情報生成部に対して、前記処理実行制御装置から取得した出力対象画像情報に基づいて第二の描画情報を生成させる出力側描画情報生成制御部と、
前記出力側描画情報生成部によって生成された前記第二の描画情報に基づいて第二の画像形成装置に画像形成出力を実行させる実行制御部と、
前記第二の描画情報を生成させるために前記出力側描画情報生成部を切り替えて起動させる起動切替制御部と、
前記命令情報に基づいて前記第二の描画情報を生成するための画像処理の情報として設定される画像処理情報の履歴を、複数の前記出力側描画情報生成部において共通の項目と複数の前記出力側描画情報生成部の夫々において固有の項目とに区別して管理する命令情報管理部と、
前記第二の描画情報を生成するための画像処理の設定画面を表示させる表示制御部と、
を含み、
前記表示制御部は、
管理されている前記画像処理情報の履歴に基づいて前記設定画面を表示させることを特徴とする画像形成出力制御装置。
【請求項２】
前記命令情報管理部は、
複数の前記出力側描画情報生成部の夫々において固有の項目について、前記画像処理情報の履歴に基づいて算出された前記固有の項目間の関連度合いを管理し、
前記表示制御部は、
算出された前記関連度合いに応じて前記画像処理情報の反映態様を変化させて前記設定画面を表示させることを特徴とする請求項１に記載の画像形成出力制御装置。
【請求項３】
前記命令情報管理部は、
複数の前記出力側描画情報生成部の夫々に固有の項目について、前記画像処理情報の履歴に基づいて設定された前記画像処理の設定値を管理し、
前記表示制御部は、
管理されている前記画像処理の設定値を参照して前記設定画面を表示させることを特徴とする請求項１または請求項２に記載の画像形成出力制御装置。
【請求項４】
前記表示制御部は、
管理されている前記画像処理情報の履歴に基づいて前記設定値を表示させ、
前記命令情報管理部は、
表示された前記設定値の採用率に基づいて前記画像処理情報の履歴を管理し、
前記表示制御部は、
前記画像処理の情報の履歴に基づいて、前記設定値の採用率を参照して、前記設定画面を表示させることを特徴とする請求項３に記載の画像形成出力制御装置。
【請求項５】
定められた複数の処理を順番に実行する画像処理システムにおいて前記複数の処理の実行を制御する処理実行制御装置から受信した画像形成出力の命令情報に基づいて画像形成出力の実行を制御する画像形成出力制御装置の制御方法であって、
前記処理実行制御装置は、前記複数の処理のひとつとして、第一の画像形成装置が画像形成出力に際して参照する情報である第一の描画情報を、画像形成出力の画像の情報である出力対象画像情報に基づいて生成する制御側描画情報生成部を有し、
前記画像形成出力制御装置は、
複数の前記制御側描画情報生成部の夫々に対応した複数の出力側描画情報生成部に対して、前記処理実行制御装置から取得した出力対象画像情報に基づいて第二の描画情報を生成させる出力側描画情報生成制御部と、
前記出力側描画情報生成部によって生成された前記第二の描画情報に基づいて第二の画像形成装置に画像形成出力を実行させる実行制御部と、
を有し、
前記画像形成出力制御装置は、
前記第二の描画情報を生成させるために前記出力側描画情報生成部を切り替えて起動させ、
前記命令情報に基づいて前記第二の描画情報を生成するための画像処理の情報として設定される画像処理情報の履歴を、複数の前記出力側描画情報生成部において共通の項目と複数の前記出力側描画情報生成部の夫々において固有の項目とに区別して管理し、
前記第二の描画情報を生成するための画像処理の設定画面を管理されている前記画像処理情報の履歴に基づいて表示させることを特徴とする画像形成出力制御装置の制御方法。
【請求項６】
定められた複数の処理を順番に実行する画像処理システムにおいて前記複数の処理の実行を制御する処理実行制御装置から受信した画像形成出力の命令情報に基づいて画像形成出力の実行を制御する画像形成出力制御装置の制御プログラムであって、
前記処理実行制御装置は、前記複数の処理のひとつとして、第一の画像形成装置が画像形成出力に際して参照する情報である第一の描画情報を、画像形成出力の画像の情報である出力対象画像情報に基づいて生成する制御側描画情報生成部を含み、
前記画像形成出力制御装置は、
複数の前記制御側描画情報生成部の夫々に対応した複数の出力側描画情報生成部に対して、前記処理実行制御装置から取得した出力対象画像情報に基づいて第二の描画情報を生成させる出力側描画情報生成制御部と、
前記出力側描画情報生成部によって生成された前記第二の描画情報に基づいて第二の画像形成装置に画像形成出力を実行させる実行制御部と、
前記第二の描画情報を生成させるために前記出力側描画情報生成部を切り替えて起動させる起動切替制御部と、
前記命令情報に基づいて前記第二の描画情報を生成するための画像処理の情報として設定される画像処理情報の履歴を、複数の前記出力側描画情報生成部において共通の項目と複数の前記出力側描画情報生成部の夫々において固有の項目とに区別して管理する命令情報管理部と、
前記第二の描画情報を生成するための画像処理の設定画面を表示させる表示制御部と、
を情報処理装置において実現し、
前記表示制御部は、
管理されている前記画像処理情報の履歴に基づいて前記設定画面を表示させることを特徴とする画像形成出力制御装置の制御プログラム。
【発明の詳細な説明】
【技術分野】
【０００１】
本発明は、画像形成出力制御装置、画像形成出力制御装置の制御方法、画像形成出力制御装置の制御プログラムに関する。
【背景技術】
【０００２】
ＪＤＦ（Ｊｏｂ  Ｄｅｆｉｎｉｔｉｏｎ  Ｆｏｒｍａｔ）と呼ばれる情報形式により、印刷物の生成に関するあらゆる処理を定義して制御する方法が用いられている。この方法によれば、オフセットプリンタやデジタルプリンタ等の異なる種類のプリンタを一括して制御することが可能となる。そのようなシステムはＨＷＦ（Ｈｙｂｒｉｄ  Ｗｏｒｋ  Ｆｌｏｗ）システムと呼ばれ、そのようなシステムを制御するサーバはＨＷＦサーバと呼ばれる。
【０００３】
このようなＨＷＦシステムにおいては、同一の印刷データに基づいてオフセットプリンタ及びデジタルプリンタの夫々に出力を実行させた場合に、フォント、色味、レイアウト等に差異がなく同一の結果が得られることが求められる。しかしながら、印刷出力において最終的に参照されるデータであるラスターデータを印刷データに基づいて生成するＲＩＰ（Ｒａｓｔｅｒ  Ｉｍａｇｅ  Ｐｒｏｃｅｓｓｏｒ）エンジンが、オフセットプリンタ及びデジタルプリンタにおいて、夫々設けられる。
【０００４】
このような印刷結果の差異を低減するために、印刷設定の操作履歴に基づいて、次回以降の印刷時に印刷設定をフィードバックする技術が既に提案されている（例えば、特許文献１参照）。特許文献１においては、同じ印刷設定の項目に対して印刷設定のフィードバックを行う。
【０００５】
次回の印刷時において異なるＲＩＰエンジンを用いて印刷出力を行う場合、上述したＨＷＦシステムから、ＲＩＰエンジンの切り替えを行う。ＲＩＰエンジンには、夫々に固有のＪＤＦ属性があるため、各ＲＩＰエンジンに固有のＪＤＦ記述を用いて印刷設定を行うためのＵＩ（Ｕｓｅｒ  Ｉｎｔｅｒｆａｃｅ）が存在している。そのため、使用するＨＷＦソフトウェアに応じてＲＩＰエンジンの切り替えを行う必要がある。
【発明の概要】
【発明が解決しようとする課題】
【０００６】
この時、ＲＩＰエンジンのＪＤＦ属性には、各ＲＩＰエンジンに共通の属性と、各ＲＩＰエンジンに固有の属性とがある。そのため、夫々のＲＩＰエンジンにおいて固有のＪＤＦ属性があり、ユーザが設定可能な項目が異なる場合には、特許文献１の技術を適用することができない。
【０００７】
また、夫々のＲＩＰエンジンに固有のＪＤＦ属性の中には、全く同じ印刷設定の項目ではないものの、関連性の高い印刷設定の項目が存在する。この時、ＲＩＰエンジンを切り替える際に、全く同じ印刷設定の項目ではないものの、関連性の高い印刷設定の項目が存在する場合においても、特許文献１の技術を適用することができない。
【０００８】
本発明は、このような課題を解決するためになされたものであり、画像形成装置に搭載されているＲＩＰエンジンを切り替える際に、切り替え以前の印刷設定をフィードバックすることを目的とする。
【課題を解決するための手段】
【０００９】
上記課題を解決するために、本発明の一態様は、定められた複数の処理を順番に実行する画像処理システムにおいて前記複数の処理の実行を制御する処理実行制御装置から受信した画像形成出力の命令情報に基づいて画像形成出力の実行を制御する画像形成出力制御装置であって、前記処理実行制御装置は、前記複数の処理のひとつとして、第一の画像形成装置が画像形成出力に際して参照する情報である第一の描画情報を、画像形成出力の画像の情報である出力対象画像情報に基づいて生成する制御側描画情報生成部を含み、前記画像形成出力制御装置は、複数の前記制御側描画情報生成部の夫々に対応した複数の出力側描画情報生成部に対して、前記処理実行制御装置から取得した出力対象画像情報に基づいて第二の描画情報を生成させる出力側描画情報生成制御部と、前記出力側描画情報生成部によって生成された前記第二の描画情報に基づいて第二の画像形成装置に画像形成出力を実行させる実行制御部と、前記第二の描画情報を生成させるために前記出力側描画情報生成部を切り替えて起動させる起動切替制御部と、前記命令情報に基づいて前記第二の描画情報を生成するための画像処理の情報として設定される画像処理情報の履歴を、複数の前記出力側描画情報生成部において共通の項目と複数の前記出力側描画情報生成部の夫々において固有の項目とに区別して管理する命令情報管理部と、前記第二の描画情報を生成するための画像処理の設定画面を表示させる表示制御部と、を含み、前記表示制御部は、管理されている前記画像処理情報の履歴に基づいて前記設定画面を表示させることを特徴とする。
【発明の効果】
【００１０】
本発明によれば、画像形成装置に搭載されているＲＩＰエンジンを切り替える際に、切り替え以前の印刷設定をフィードバックすることができる。
【図面の簡単な説明】
【００１１】
【図１】本発明の実施形態に係るシステムの運用形態を示す図である。
【図２】本発明の実施形態に係る情報処理装置のハードウェア構成を示すブロック図である。
【図３】本発明の実施形態に係るＪＤＦ情報を示す図である。
【図４】本発明の実施形態に係るＨＷＦサーバの機能構成を示すブロック図である。
【図５】本発明の実施形態に係るワークフロー情報の例を示す図である。
【図６】本発明の実施形態に係るＤＦＥの機能構成を示すブロック図である。
【図７】本発明の実施形態に係る変換テーブルの例を示す図である。
【図８】本発明の実施形態に係るＲＩＰパラメータの例を示す図である。
【図９】本発明の実施形態に係るＲＩＰエンジンの機能構成を示すブロック図である。
【図１０】本発明の実施形態に係るＲＩＰエンジンの機能構成を示すブロック図である。
【図１１】本発明の実施形態に係るシステムの全体動作を示すシーケンス図である。
【図１２】本発明の実施形態に係る分割要求の情報を示す図である。
【図１３】本発明の実施形態に係るＤＦＥ内処理を示すフローチャートである。
【図１４】本発明の実施形態に係るＲＩＰ処理を示すフローチャートである。
【図１５】本発明の実施形態に係る異なるＲＩＰエンジンの印刷設定ＵＩを例示した図である。
【図１６】本発明の実施形態に係る異なるＲＩＰエンジンの印刷設定ＵＩを例示した図である。
【図１７】本発明の実施形態に係る各ＲＩＰエンジンの印刷設定の項目を例示した図である。
【図１８】本発明の実施形態に係るＪＤＦ設定管理部の機能構成を示す機能ブロック図である。
【図１９】本発明の実施形態に係る設定履歴テーブルのデータ構成を例示した図である。
【図２０】本発明の実施形態に係る関連管理テーブルのデータ構成を例示した図である。
【図２１】本発明の実施形態に係る採用率に基づいて関連管理テーブルを更新する処理の流れを示すフローチャートである。
【図２２】本発明の実施形態に係る関連管理テーブルのデータ構成を例示した図である。
【図２３】本発明の実施形態に係る独立性の検定結果に基づいて関連管理テーブルを更新する処理の流れを示すフローチャートである。
【図２４】本発明の実施形態に係る印刷設定の履歴を更新する処理の流れを示すフローチャートである。
【図２５】本発明の実施形態に係るＲＩＰ切り替え要求のデータ構成を例示した図である。
【図２６】本発明の実施形態に係る印刷ジョブ実行画面を例示した図である。
【図２７】本発明の実施形態に係る印刷ジョブ実行画面を例示した図である。
【図２８】本発明の実施形態に係る印刷設定ＵＩを例示した図である。
【図２９】本発明の実施形態に係る印刷設定ＵＩを例示した図である。
【図３０】本発明の実施形態に係る印刷設定ダイアログを例示した図である。
【図３１】本発明の実施形態に係る印刷設定ＵＩを例示した図である。
【図３２】本発明の実施形態に係る印刷設定ダイアログを例示した図である。
【図３３】本発明の実施形態に係るＪＤＦ設定管理部の機能構成を示す機能ブロック図である。
【図３４】本発明の実施形態に係る関連管理テーブルを更新する処理の流れを示すフローチャートである。
【発明を実施するための形態】
【００１２】
実施の形態１．
以下、図面を参照して、本発明の実施形態について説明する。本実施形態においては、オフセットプリンタ及びデジタルプリンタが混在するシステムにおいて、両方のプリンタを同一のサーバを介して制御可能な画像処理システムについて説明する。このようなシステムは、ＨＷＦ（Ｈｙｂｒｉｄ  Ｗｏｒｋ  Ｆｌｏｗ）システムと呼ばれる。そのようなシステムにおいてデジタルプリンタを動作させる場合に、デジタルプリンタを制御するＤＦＥ（Ｄｉｇｉｔａｌ  Ｆｒｏｎｔ  Ｅｎｄ）とサーバとに共通化されたＲＩＰ（Ｒａｓｔｅｒ  Ｉｍａｇｅ  Ｐｒｏｃｅｓｓｏｒ）エンジンを搭載することが本実施形態に係る特徴の１つである。
【００１３】
図１は、本実施形態に係るＨＷＦシステムの運用形態を示す図である。図１に示すように、本実施形態に係るシステムは、デジタルプリンタ１、オフセットプリンタ２、後処理装置３、ＨＷＦサーバ４ａ、４ｂ（以降、総じて「ＨＷＦサーバ４」とする）、クライアント端末５ａ、５ｂ（以降、総じて「クライアント端末５」とする）がネットワークを介して接続されて構成されている。
【００１４】
デジタルプリンタ１は、電子写真方式やインクジェット方式等、版を用いずに画像形成出力を行うプリンタであり、ＤＦＥ１００及びデジタルエンジン１５０を含む。ＤＦＥ１００は、デジタルエンジン１５０に印刷出力を実行させるための制御部である画像形成出力制御装置として機能する。また、デジタルエンジン１５０が画像形成装置として機能する。そのため、ＤＦＥ１００は、デジタルエンジン１５０が印刷出力を実行する際に参照する画像データであるラスターデータを生成するためのＲＩＰ（Ｒａｓｔｅｒ  Ｉｍａｇｅ  Ｐｒｏｃｅｓｓｏｒ）エンジンを含む。ラスターデータが描画情報である。
【００１５】
オフセットプリンタ２は、版を用いて画像形成出力を行うプリンタであり、ＣＴＰ（Ｃｏｍｐｕｔｅｒ  Ｔｏ  Ｐｌａｔｅ）２００及びオフセットエンジン２５０を含む。ＣＴＰ２００は、ラスターデータに基づいて版を生成する装置である。ＣＴＰ２００によって版が生成されることにより、オフセットエンジン２５０によるオフセット印刷が可能となる。
【００１６】
後処理装置３は、デジタルプリンタ１、オフセットプリンタ２によって印刷出力された用紙に対してパンチ、ステープル、製本等の後処理を行う装置である。ＨＷＦサーバ４は、印刷出力する対象の画像データを含むジョブデータの入稿から、印刷出力、後処理まですべてを管理するＨＷＦソフトウェアがインストールされたサーバである。ＨＷＦサーバ４は、ＪＤＦ（Ｊｏｂ  Ｄｅｆｉｎｉｔｉｏｎ  Ｆｏｒｍａｔ）と呼ばれる情報形式で生成された情報（以降、「ＪＤＦ情報」とする）により、上述した様々な処理を管理する。即ち、ＨＷＦサーバ４が処理実行制御装置として機能する。
【００１７】
ＨＷＦサーバ４は、オフセットプリンタ２を用いてオフセット印刷により印刷出力を行う場合、内部に搭載されたＲＩＰエンジンによりラスターデータを生成し、そのラスターデータをＣＴＰ２００に送信する。そのため、ＨＷＦサーバ４にはＲＩＰエンジンが搭載されている。
【００１８】
他方、デジタルプリンタ１により印刷出力を行う場合、ＤＦＥ１００にデータを送信する。ＤＦＥ１００には上述した通りＲＩＰエンジンが搭載されているため、ＨＷＦサーバ４はＲＩＰ処理前の印刷データをＤＦＥ１００に送信することにより、デジタルプリンタ１に印刷出力を実行させることが可能である。
【００１９】
ここで、同一の印刷データに基づく印刷出力がデジタルプリンタ１、オフセットプリンタ２の夫々において実行される場合がある。そのような場合において、両者の印刷出力の結果が異なると、出力物を受け取るユーザに違和感を与えることとなる。そのため、デジタルプリンタ１、オフセットプリンタ２の夫々における印刷出力の結果は同一であることが好ましい。
【００２０】
異なるデバイスによる印刷出力の差異は、主にＲＩＰ処理によって生じる。そのため、デジタルプリンタ１とオフセットプリンタ２とで処理が共通化されたＲＩＰエンジンを用いることにより、両者の出力結果の差異を最低限とすることが可能である。
【００２１】
即ち、本実施形態においてＨＷＦサーバ４に搭載されるＲＩＰエンジンは、デジタルプリンタ１及びオフセットプリンタ２の両方に対応し、共通化可能な処理が共通化されたＲＩＰエンジンである。また、ＤＦＥ１００には、ＨＷＦサーバ４に搭載されたＲＩＰエンジンと共通のＲＩＰエンジンが搭載される。このような構成が本実施形態に係る要旨の１つである。
【００２２】
このような構成により、ＨＷＦサーバ４及びＤＦＥ１００には共通のＲＩＰエンジンが搭載されることとなる。そのため、デジタルプリンタ１により印刷出力を実行する場合、ＨＷＦサーバ４によるＲＩＰ処理とＤＦＥ１００によるＲＩＰ処理とを組み合わせることが可能となる。
【００２３】
クライアント端末５は、システムを使用するオペレータがＨＷＦサーバ４を操作するための情報処理端末であり、一般的なＰＣ（Ｐｅｒｓｏｎａｌ  Ｃｏｍｐｕｔｅｒ）等によって実現される。オペレータは、クライアント端末５を操作してＨＷＦサーバ４を操作するためのＧＵＩ（Ｇｒａｐｈｉｃａｌ  Ｕｓｅｒ  Ｉｎｔｅｒｆａｃｅ）を表示し、データの入力や上述したＪＤＦ情報の設定などを行う。ＪＤＦ情報が処理設定情報である。
【００２４】
次に、本実施形態に係るＤＦＥ１００、ＨＷＦサーバ４及びクライアント端末５等の情報処理装置のハードウェア構成について図２を参照して説明する。図２に示すように、本実施形態に係る情報処理装置は、一般的なサーバやＰＣ（Ｐｅｒｓｏｎａｌ  Ｃｏｍｐｕｔｅｒ）等と同様の構成を含む。即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２５】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２６】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボードやマウス等、ユーザが情報処理装置に情報を入力するためのユーザインタフェースである。尚、ＨＷＦサーバ４はサーバとして運用されるため、ＬＣＤ６０や操作部７０等のユーザインタフェースは省略可能である。
【００２７】
このようなハードウェア構成において、ＲＯＭ３０に格納されたプログラムや、ＨＤＤ４０若しくは図示しない光学ディスク等の記憶媒体からＲＡＭ２０にロードされたプログラムに従ってＣＰＵ１０が演算を行うことにより、ソフトウェア制御部が構成される。このようにして構成されたソフトウェア制御部と、ハードウェアとの組み合わせによって、本実施形態に係るＤＦＥ１００、ＨＷＦサーバ４及びクライアント端末５の機能を実現する機能ブロックが構成される。
【００２８】
次に、上述したＪＤＦ情報について説明する。図３は、ＪＤＦ情報の例を示す図である。図３に示すように、ＪＤＦ情報は、ジョブの実行に関する“ジョブ情報”、ラスターデータに関する“エディット情報”、後処理に関する“フィニッシング情報”を含む。また、“ＲＩＰステータス”、“ＲＩＰデバイス指定”及び“デバイス指定”の情報を含む。
【００２９】
“ジョブ情報”は、図３に示すように、“部数”、“ページ数”、“ＲＩＰ制御モード”といった情報を含む。“部数”は、出力対象の印刷物の部数を指定する情報である。“ページ数”は、印刷物のページ数を指定する情報である。“ＲＩＰ制御モード”は、ＲＩＰ処理の制御モードを示し、「ページモード」、「シートモード」等が指定される。
【００３０】
“エディット情報”は、“向き情報”、“印刷面情報”、“回転”、“拡大／縮小”、“イメージ位置”、“レイアウト情報”、“マージン情報”、“クロップ・マーク情報”を含む。“向き情報”は、「縦」、「横」等の印刷の向きを指定する情報である。“印刷面情報”は、「両面」、「片面」等の印刷面を指定する情報である。
【００３１】
“回転”は、出力対象の画像の回転角度を指定する情報である。“拡大／縮小”は、出力対象の画像の変倍率を指定する情報である。“イメージ位置”の“オフセット”は、出力対象の画像のオフセットを指定する情報である。“位置調整情報”は、出力対象の画像の位置調整の値を指定する情報である。
【００３２】
“レイアウト情報”の“カスタム・インポジション配置”は、カスタム面の配置を指定する情報である。“ページ数”は、用紙１枚のページ数を指定する情報であり、例えば１枚の用紙に２ページを集約する場合には「２ｉｎ１」等と指定される。“ページ順序情報”は、印刷されるページの順序に関する情報を指定する情報である。“クリープ位置調整”は、クリープ位置の調整に関する値を指定する情報である。
【００３３】
“マージン情報”は、フィット・ボックスやガターなどのマージンに関する値を指定する情報である。“クロップ・マーク情報”の“センター・クロップ・マーク情報”は、センター・クロップ・マークに関する値を指定する情報である。“コーナー・クロップ・マーク情報”は、コーナー・クロップ・マークに関する値を指定する情報である。
【００３４】
“フィニッシング情報”は、“Ｃｏｌｌａｔｅ情報”、“ステープル／バインド情報”、“パンチ情報”、“折り情報”、“トリム”、“出力トレイ情報”、“入力トレイ情報”、“カバー・シート情報”を含む。“Ｃｏｌｌａｔｅ情報”は、文書が複数部数印刷される場合にページ単位で印刷するか文書単位で印刷するかを指定する情報である。
【００３５】
“ステープル／バインド情報”は、ステープル／バインドに関する処理を指定する情報である。“パンチ情報”は、パンチに関する処理を指定する情報である。“折り情報”は、折りに関する処理を指定する情報である。“トリム”は、トリムに関する処理を指定する情報である。
【００３６】
“出力トレイ情報”は、出力トレイを指定する情報である。“入力トレイ”は、入力トレイを指定する情報である。“カバー・シート情報”は、カバー・シートに関する処理を指定する情報である。
【００３７】
“ＲＩＰステータス”は、ＲＩＰ処理に含まれる各処理であるＲＩＰ内部処理の夫々が実行済みであるか否かを示す実行状態情報である。図３においては、ＲＩＰ内部処理の項目として“プリフライト”、“ノーマライズ”、“フォント”、“レイアウト”、“マーク”、“ＣＭＭ”、“Ｔｒａｐｐｉｎｇ”、“Ｃａｌｉｂｒａｔｉｏｎ”、“Ｓｃｒｅｅｎｉｎｇ”といった処理項目が記述されている。そして、夫々の項目についての処理状態のステータスが記述される。図３においては、未処理であることを示す「ＮｏｔＹｅｔ」が設定されており、夫々の処理が実行されると「Ｄｏｎｅ」に更新される。
【００３８】
“ＲＩＰデバイス指定”は、夫々のＲＩＰ内部処理について、ＨＷＦサーバ４側において実行するか、ＤＦＥ１００側において実行するかを指定する情報である。“ＲＩＰステータス”と同様のＲＩＰ内部処理の夫々の項目について、「ＨＷＦサーバ」と「ＤＦＥ」とのいずれかが設定される。また、「ＤＦＥ」が設定される場合、「ＤＦＥ（エンジンＡ）」のように、ＤＦＥ１００に搭載されている複数のＲＩＰエンジンのいずれかを指定する情報が含まれる。
【００３９】
“デバイス指定”は、印刷ジョブを実行するデバイスを指定する情報であり、図３の例においては、「デジタルプリンタ」が指定されている。尚、ＪＤＦ情報は図３に示す情報の他にも様々な情報を含む。それらの情報については以降の説明において詳述する。
【００４０】
図３に示すＪＤＦ情報は、オペレータがクライアント端末５を介してＨＷＦサーバ４のＧＵＩを表示させ、ＧＵＩにおいて各種の項目を設定することにより生成される。従って、印刷出力をおこなう際に印刷設定ＵＩから出力対象の画像情報に対して実行する画像処理を設定し、画像処理情報としてのＪＤＦ情報が生成される。
【００４１】
そして、ＨＷＦサーバ４やＤＦＥ１００に搭載されるＲＩＰエンジンは、このようなＪＤＦ情報に基づいてＲＩＰ処理を行う。また、後処理装置３は、このようなＪＤＦ情報に基づいて後処理を実行する。尚、外部のソフトウェアやシステムからＨＷＦサーバ４に対してジョブが入稿される場合、ＪＤＦ情報が付与された状態で入稿される場合もある。
【００４２】
次に、本実施形態に係るＨＷＦサーバ４の機能構成について図４を参照して説明する。図４に示すように、ＨＷＦサーバ４は、ＨＷＦコントローラ４００及びネットワークＩ／Ｆ４０１を含む。ネットワークＩ／Ｆ４０１は、ＨＷＦサーバ４がネットワークを介して他の機器と情報をやり取りするためのインタフェースである。
【００４３】
ＨＷＦコントローラ４００は、印刷対象のデータの取得、印刷ジョブの作成、ワークフローの管理、デジタルプリンタ１及びオフセットプリンタ２へのジョブの振り分け等を管理する。印刷対象のジョブデータがＨＷＦサーバ４に入力され、ＨＷＦコントローラ４００によって取得される処理が、本システムにおける入稿処理である。ＨＷＦコントローラ４００は、専用のソフトウェアが情報処理装置にインストールされることによって構成される。このソフトウェアがＨＷＦソフトウェアである。
【００４４】
ＨＷＦコントローラ４００において、システム制御部４１０は、ＨＷＦコントローラ４００全体の制御を行う。そのため、システム制御部４１０は、上述したＨＷＦコントローラ４００の各機能の実現に際して、ＨＷＦコントローラ４００各部に命令を与えて処理を実行させる。データ受信部４１１は、他のシステムからの印刷物のジョブデータの受信、もしくはオペレータの操作によって入稿されるジョブデータの受信を行う。
【００４５】
ＵＩ（Ｕｓｅｒ  Ｉｎｔｅｒｆａｃｅ）制御部４１２は、クライアント端末５を介したオペレータによる操作を制御する。クライアント端末５にはＨＷＦサーバ４を操作するためのＧＵＩが表示され、ＵＩ制御部４１２は、クライアント端末５において表示されたＧＵＩに対する操作の情報を、ネットワークを介して取得する。
【００４６】
ＵＩ制御部４１２は、このようにしてネットワークを介して取得した操作の情報をシステム制御部４１０に通知する。クライアント端末５におけるＧＵＩの表示は、クライアント端末５に予めインストールされたソフトウェアや、ＵＩ制御部４１２からネットワークを介してクライアント端末５に提供される情報によって実現される。
【００４７】
オペレータは、クライアント端末５に表示されたＧＵＩを操作することにより入稿対象のジョブデータを選択する。これにより、クライアント端末５がＨＷＦサーバ４に対してジョブデータを送信し、データ受信部４１１がジョブデータを取得する。システム制御部４１０は、データ受信部４１１が取得したジョブデータをジョブデータ格納部４１４に登録する。
【００４８】
クライアント端末５からＨＷＦサーバ４へのジョブデータの送信に際しては、クライアント端末５において選択された文書データや画像データに基づき、クライアント端末５においてジョブデータが生成された上でＨＷＦサーバ４に送信される。ジョブデータは、例えばＰＤＦ（Ｐｏｒｔａｂｌｅ  Ｄｏｃｕｍｅｎｔ  Ｆｏｒｍａｔ）やＰｏｓｔＳｃｒｉｐｔ等のＰＤＬ（Ｐａｇｅ  Ｄｅｓｃｒｉｐｔｉｏｎ  Ｌａｎｇｕａｇｅ）形式のデータである。
【００４９】
この他、クライアント端末５からＨＷＦサーバ４に対してアプリケーション専用のデータ形式や一般的な画像データの形式のまま印刷対象のデータが送信されても良い。その場合、システム制御部４１０は、取得したデータに基づいてジョブ制御部４１３にジョブデータを生成させる。ジョブ制御部４１３は、ＲＩＰエンジン４２０の機能により印刷対象のデータに基づいてジョブデータを生成させる。
【００５０】
尚、ジョブデータ格納部４１４に登録された印刷対象のデータは上述したようにＰＤＬ情報であるが、このＰＤＬ情報は、印刷対象のデータに基づいて生成された一次的なデータの他、途中まで処理が実行された中間データの場合もあり得る。これらの情報が、出力対象画像情報として用いられる。中間データがジョブデータ格納部４１４に格納される場合としては、ＨＷＦサーバ４において既に処理が開始された処理途中の状態の他、中間データの状態でＨＷＦサーバ４にジョブデータが登録される場合等があり得る。以降、“ＰＤＬ情報”とする場合には、ＲＩＰ処理が行われていない一次的なデータを示し、“中間データ”とする場合には途中までＲＩＰ処理が実行された処理途中の状態のデータを示す。
【００５１】
また、上述したように、図３において説明したＪＤＦの情報はクライアント端末５に表示されるＧＵＩに対するオペレータの操作により設定されて生成される。若しくは、外部のソフトウェアやシステムからＨＷＦサーバ４に対してジョブが入稿される場合には、予め付与されている。そのようにして取得されたＪＤＦ情報はジョブデータとしてＰＤＬ情報と共にデータ受信部４１１によって受信される。システム制御部４１０は、そのようにして取得されたＪＤＦ情報とＰＤＬ情報とを関連付けてジョブデータ格納部４１４に登録する。
【００５２】
尚、本実施形態においてはジョブの内容を示す属性情報としてＪＤＦ情報を用いる場合を例として説明した。しかしながらこれは一例であり、他の形式、例えばＰＰＦ（Ｐｒｉｎｔ  Ｐｒｏｄｕｃｔｉｏｎ  Ｆｏｒｍａｔ）情報を用いても良い。
【００５３】
また、システム制御部４１０は、クライアント端末５に表示されたＧＵＩに対するオペレータの操作に基づき、受信したジョブデータを、ページ単位等の印刷部位毎に分割することが出来る。そのようにして分割した夫々のジョブデータは、分割された個別のジョブデータとしてジョブデータ格納部４１４に登録される。
【００５４】
また、分割が指定された夫々のジョブについて、クライアント端末５に表示されたＧＵＩに対するオペレータの操作により出力先のデバイスが選択されると、その選択結果がジョブデータと関連付けてジョブデータ格納部４１４に保存される。出力先の選択態様としては、例えば表紙部分はデジタルプリンタ１、本文はオフセットプリンタ２といった選択態様があり得る。
【００５５】
デバイス情報管理部４１６は、デジタルプリンタ１、オフセットプリンタ２、後処理装置３等、システムに含まれる他のデバイスの情報を取得してデバイス情報格納部４１７に記憶させることにより管理する。他のデバイスの情報としては、デバイスがネットワークに接続された際に割り当てられるネットワークのアドレスや、デバイスの機能の情報である。デバイスの機能の情報とは、例えば印刷速度、使用可能な後処理機能、動作状態等である。
【００５６】
デバイス情報通信部４１５は、ネットワークＩ／Ｆ４０１を介して、システムに含まれる他のデバイスの情報を定期的に取得する。これにより、デバイス情報管理部４１６は、デバイス情報格納部４１７に格納されている他のデバイスの情報を定期式に更新するため、他のデバイスの情報が動的に変化したとしてもデバイス情報格納部４１７に格納された情報が正確に保たれる。
【００５７】
ワークフロー制御部４１８は、ジョブデータ格納部４１４に登録されたジョブデータをシステム上で処理する際の各処理の実行順を決定し、その情報をワークフロー情報格納部４１９に記憶させる。ワークフローに定められた各処理は予めその実行順序が決められており、順序性を保つため、前の処理が完了すると次の処理に進むように制御される。
【００５８】
即ち、ワークフロー情報格納部４１９に格納されているのは、ＨＷＦシステムにおいて実行可能な夫々の処理が指定された順番通りに組み合わせられたワークフロー情報である。図５は、ワークフロー情報の例を示す図である。これに対して、夫々の処理が実行される際のパラメータは上述した通りＪＤＦ情報において指定される。ワークフロー情報格納部４１９には、クライアント端末５に表示されたＧＵＩに対するオペレータの操作に基づいて設定されたワークフロー情報が予め登録されている。
【００５９】
ＨＷＦサーバ４に登録されたジョブデータに対する実行指示は、クライアント端末５に表示されたＧＵＩに対するオペレータの操作に基づきＵＩ制御部４１２を介してシステム制御部４１０に通知される。これにより、システム制御部４１０は、上述した出力先デバイスの選択を行う。
【００６０】
上述したように、クライアント端末５に表示されたＧＵＩ上で出力先デバイスを選択する態様の場合、システム制御部４１０は指定の内容に従って出力先デバイスを選択する。この他、ジョブの内容とデバイスの特性との比較に基づいて自動的に選択する態様も可能である。
【００６１】
ジョブの内容とデバイスの特性との比較に基づいて出力先デバイスを自動的に選択する場合、システム制御部４１０は、利用可能なデバイスの情報をデバイス情報管理部４１６から取得する。このようにして出力先デバイスを決定すると、システム制御部４１０は、決定した出力先デバイスを示す情報をＪＤＦ情報に付与する。
【００６２】
出力先デバイスを決定した後、システム制御部４１０はワークフロー制御部４１８に対してジョブの実行指示を行う。この際、オペレータの操作に基づいてワークフロー情報格納部４１９に予め登録されているワークフロー情報を用いても良いし、オペレータの操作に従って設定された内容に基づいて新たなワークフロー情報が生成されても良い。
【００６３】
ワークフロー制御部４１８は、システム制御部４１０から実行指示を受け付けると、指定されたワークフロー情報若しくは新たに生成したワークフロー情報に従い、指定された実行順に従ってジョブ制御部４１３に各処理の実行指示を行う。即ち、ワークフロー制御部４１８が処理実行制御部として機能する。
【００６４】
実行指示を受けたジョブ制御部４１３は、上述したＰＤＬ情報及びＪＤＦ情報をＲＩＰエンジン４２０に入力してＲＩＰ処理を実行させる。ＪＤＦ情報には、ＲＩＰエンジンによって行われる複数のＲＩＰ内部処理夫々について、ＨＷＦサーバ４、ＤＦＥ１００のいずれにおいて実行するかを示す情報が含まれる。
【００６５】
ジョブ制御部４１３は、ＪＤＦ情報に含まれる情報のうち、ＲＩＰ処理の振り分けの情報を参照し、ワークフロー制御部４１８から指示された処理がＨＷＦサーバ４において実行するべき処理であれば、ＲＩＰエンジン４２０に対して指定された処理を実行させる。ＲＩＰエンジン４２０は、ジョブ制御部４１３からの指示に従い、ＪＤＦ情報において指定されたパラメータに基づいてＲＩＰ処理を実行する。
【００６６】
このようにしてＲＩＰ処理を実行したＲＩＰエンジン４２０は、処理を実行したＲＩＰ処理のＲＩＰステータスを更新する。これにより、複数のＲＩＰ内部処理のうちＨＷＦサーバ４において実行されたＲＩＰ内部処理については、ステータスが「Ｄｏｎｅ」に変更される。ＲＩＰエンジン４２０が、制御側描画情報生成部として機能する。
【００６７】
ＲＩＰ処理が実行されることによって生成されるＲＩＰ実行結果データは、ＰＤＬ情報、中間データ、ラスターデータのいずれかである。これらはＲＩＰ内部処理の内容に異なるが、処理が進むことによって当初ＰＤＬ情報であったデータに基づいて中間データが生成され、最終的にラスターデータが生成される。ＲＩＰ実行結果データは、実行中のジョブに関連付けられてジョブデータ格納部４１４に格納される。
【００６８】
１つのＲＩＰ内部処理が完了すると、ＲＩＰエンジン４２０がジョブ制御部４１３に完了を通知し、ジョブ制御部４１３がワークフロー制御部４１８に通知する。これにより、ワークフロー制御部４１８が、ワークフロー情報に従って次の処理の制御を開始する。
【００６９】
ジョブ制御部４１３は、ワークフロー制御部４１８から受け取ったジョブの内容が、他システムに対する要求である場合、ジョブ送受信部４２１に対して、他システムに応じた形でジョブデータを入力し、ジョブデータを送信させる。オフセットプリンタ２へのジョブデータの送信の場合、印刷対象のデータはラスターデータに変換された上でジョブデータとして送信される。
【００７０】
他方、デジタルプリンタ１へのジョブデータの送信の場合、ジョブ制御部４１３は、ＤＦＥ１００に含まれる複数のＲＩＰエンジンのうち、ＲＩＰエンジン４２０に対応した同一のＲＩＰエンジンを指定してジョブ送受信部４２１にジョブデータを入力する。これにより、ジョブ送受信部４２１は、ＲＩＰエンジン４２０に対応した同一のＲＩＰエンジンを指定してＤＦＥ１００にジョブデータを送信する。
【００７１】
ジョブ送受信部４２１は、ＰＤＬ情報または中間データと、ＪＤＦ情報とをパッケージしたジョブデータをＤＦＥ１００に送信する。尚、ジョブデータの送信態様として、ＰＤＬ情報または中間データを外部リソースデータとし、ＪＤＦ情報内にＰＤＬ情報または中間データの格納先を示すＵＲＬを記述する態様でも良い。この場合、ＪＤＦ情報を受信した側でＵＲＬにアクセスし、ＰＤＬ情報または中間データを取得する。
【００７２】
次に、本実施形態に係るＤＦＥ１００の機能構成について図６を参照して説明する。ＤＦＥ１００は、ＨＷＦサーバ４からジョブデータを受信し、受信したジョブの制御、ＲＩＰ処理の実行制御及びデジタルエンジン１５０の制御を行う。ＨＷＦサーバ４は、ＤＦＥ１００にジョブデータを送信することにより、デジタルエンジン１５０による印刷出力を実行させる。即ち、ＤＦＥ１００は、ＨＷＦサーバ４に対してデジタルプリント機能を提供するためのサーバとして機能する。
【００７３】
ＤＦＥ１００が提供するジョブの制御機能とは、ジョブデータの受け付け、ＪＤＦ情報の解析、ラスターデータの作成及びデジタルエンジン１５０による印刷出力等の一連の動作の制御機能である。ＲＩＰ処理の実行制御とは、ＪＤＦ情報とＰＤＬ情報の解析によって生成された情報に基づいてＲＩＰエンジンにＲＩＰ処理を実行させる制御である。
【００７４】
ＪＤＦ情報の解析によって生成される情報とは、図３において説明したＪＤＦ情報のうち、ＲＩＰ処理に用いられる情報が抽出され、ＤＦＥ１００において解読可能な形式に変換された情報であり、“ＤＦＥ内ジョブ属性”と呼ばれる。このＤＦＥ内ジョブ属性とＰＤＬ情報を参照してＲＩＰ処理が実行されることにより、中間データ、ラスターデータが作成される。
【００７５】
デジタルエンジン１５０の制御機能とは、デジタルエンジン１５０にラスターデータ及び上述したＤＦＥ内ジョブ属性の一部を送信して印刷出力を実行させる機能である。これらの機能は、図６に示す各ブロックによって実現される。図６に示す各ブロックは、図２において説明したように、ＲＡＭ２０にロードされたプログラムやＲＯＭ３０に格納されたプログラムに従ってＣＰＵ１０が演算処理を行い、他のハードウェアを動作させることにより実現される。
【００７６】
ＤＦＥ１００は、内部に複数のＲＩＰエンジンを搭載している。これは、ＨＷＦシステムにおいてＤＦＥ１００にジョブを送信する可能性のある他のデバイスのＲＩＰエンジンに夫々対応して搭載されたものである。本実施形態においては、複数のＨＷＦサーバ４ａ、４ｂに夫々異なるＲＩＰエンジンが含まれているため、ＤＦＥ１００には夫々のＲＩＰエンジンに対応して複数のＲＩＰエンジンが搭載されている。
【００７７】
ジョブ受信部１１１は、内部に複数の個別ジョブ受信部１１２を含む。個別ジョブ受信部１１２は、ネットワークＩ／Ｆ１０１を介してＨＷＦサーバ４からジョブデータを受信する。複数の個別ジョブ受信部１１２は、ＤＦＥ１００に搭載されている複数のＲＩＰエンジンに夫々対応している。個別ジョブ受信部１１２が個別受信部として機能する。
【００７８】
上述したように、ＨＷＦサーバ４からのＤＦＥ１００へのジョブデータの送信に際しては、対応するＲＩＰエンジンが指定されて送信される。そのため、ジョブ受信部１１１においては、指定されたＲＩＰエンジンに対応した個別ジョブ受信部１１２がジョブデータを受信する。
【００７９】
尚、ＤＦＥ１００へのジョブデータの入力は、ＨＷＦサーバ４からネットワークを介した入力の他、ＵＳＢメモリ等の可搬型記憶媒体を介して入力することも可能である。本実施形態においてはジョブデータにＪＤＦ情報が含まれる場合を例として説明するが、ＪＤＦが含まれていない場合、ジョブ受信部１１１はダミーのＪＤＦを作成して、ジョブデータにＪＤＦ情報を付与する。
【００８０】
個別ジョブ受信部１１２は、上述した夫々のＲＩＰエンジンに対応して設けられる場合の他、予めジョブの内容が設定された仮想プリンタとしても機能する。即ち、ＤＦＥ１００に搭載されたＲＩＰエンジン及びジョブの内容を設定した個別ジョブ受信部１１２を設け、複数の個別ジョブ受信部１１２のいずれかを指定することにより、予め設定された内容でジョブを実行させることが可能となる。
【００８１】
本実施形態に係る個別ジョブ受信部１１２において可能な設定の１つに、“パススルーモード”がある。この“パススルーモード”は、ＤＦＥ１００においてＲＩＰエンジンとは個別に設けられたＪＤＦ情報の解析機能であるＪＤＦ解析部１１７によるＪＤＦ情報の解析処理を行わせず、ＲＩＰエンジンにおいてＪＤＦ情報の解析を実行するモードである。
【００８２】
このような機能により、ＪＤＦ解析部１１７が対応していない形式のＪＤＦ情報を用いることや、ＲＩＰエンジンの外側にＪＤＦ解析機能を設けることが難しいＲＩＰエンジンをＨＷＦサーバ４及びＤＦＥ１００において用いることが可能となる。本実施形態においては、ＨＷＦサーバ４に搭載されたＲＩＰエンジン４２０とＤＦＥ１００に搭載されたＲＩＰエンジン１２０とで処理を分担する際に、上述した“パススルーモード”が用いられる。ＲＩＰエンジン４２０に対応した同一のＲＩＰエンジン１２０が、出力側描画情報生成部として用いられる。
【００８３】
ＲＩＰ処理をＨＷＦサーバ４とＤＦＥ１００とに分散する場合、可能な限りＨＷＦサーバ４とＤＦＥ１００との区分が意識されず、一連の処理として実行されることが好ましい。そのため、ＨＷＦサーバ４において途中まで処理されたデータがＤＦＥ１００に入力された場合、未処理のジョブデータが入力された場合と同様のＪＤＦ解析処理は省略し、ＨＷＦサーバ４における処理の続きとして処理が実行されることが好ましい。
【００８４】
本実施形態においては、ＨＷＦサーバ４とＤＦＥ１００とで対応した同一のＲＩＰエンジンが搭載されているため、このようなＲＩＰ処理の制御を好適に実現することが可能である。また、そのような場合においては、一方のＲＩＰエンジンによって処理されたデータがそのまま他方のＲＩＰエンジンに受け渡されることが好ましいため、上述した“パススルーモード”によってそのような制御を好適に実現することが出来る。
【００８５】
システム制御部１１３は、個別ジョブ受信部１１２が受信したジョブデータをジョブデータ格納部１１４に格納し、若しくはジョブ制御部１１６に受け渡す。ＤＦＥ１００においてジョブデータを格納する設定がされている場合、システム制御部１１３はジョブデータをジョブデータ格納部１１４に格納する。また、ジョブデータ格納部１１４に格納するか否かがＪＤＦ情報に記述されている場合、システム制御部１１３はその記述に従う。
【００８６】
ジョブデータ格納部１１４にジョブデータを格納する場合とは、例えばＤＦＥ１００において印刷内容のプレビューを行う場合等である。この場合、システム制御部１１３は、ジョブデータに含まれる印刷対象のデータ、即ちＰＤＬ情報や中間データを、ジョブデータ格納部１１４から取得してプレビューデータを生成してＵＩ制御部１１５に受け渡す。これにより、ＵＩ制御部１１５は、印刷内容のプレビューをディスプレイ１０２に表示させる。
【００８７】
プレビューデータの生成に際して、システム制御部１１３はジョブ制御部１１６に印刷対象のデータを受け渡してプレビューデータの生成を要求する。ジョブ制御部１１６はＲＩＰ部１１８に印刷対象のデータを受け渡してプレビューデータを生成させ、生成されたプレビューデータをシステム制御部１１３に受け渡す。
【００８８】
また、ＤＦＥ１００においてオペレータがＪＤＦ情報の変更を行う場合も、ジョブデータ格納部１１４にジョブデータが格納される。この場合、システム制御部１１３は、ＪＤＦ情報をジョブデータ格納部１１４から取得してＵＩ制御部１１５に受け渡す。これにより、ディスプレイ１０２にジョブデータのＪＤＦ情報が表示され、オペレータが操作によって変更することが可能となる。
【００８９】
オペレータがＤＦＥ１００を操作してＪＤＦ情報を変更した場合、ＵＩ制御部１１５は変更内容を受け付けてシステム制御部１１３に通知する。システム制御部１１３は、受け付けた変更内容を対象のＪＤＦ情報に反映して更新し、更新後のＪＤＦ情報をジョブデータ格納部１１４に記憶させる。
【００９０】
そして、システム制御部１１３は、ジョブ実行の指示を受け付けると、ジョブデータ格納部１１４に格納されたジョブデータをジョブ制御部１１６に受け渡す。ジョブ実行の指示は、ＨＷＦサーバ４からネットワークを介して入力される場合や、ＤＦＥ１００に対するオペレータの操作によって入力される。また、例えば、ＪＤＦ情報にジョブの実行時刻が設定されている場合、システム制御部１１３は、設定時刻になるとジョブデータ格納部１１４に格納されたジョブデータをジョブ制御部１１６に受け渡す。
【００９１】
ジョブデータ格納部１１４は、このようにジョブデータを格納するための記憶領域であり、図２において説明したＨＤＤ４０等によって実現される。この他、ＤＦＥ１００にＵＳＢインタフェース等を介して接続された記憶装置や、ネットワークを介して接続された記憶装置であっても良い。
【００９２】
ＵＩ制御部１１５は、上述したようにディスプレイ１０２への情報の表示や、ＤＦＥ１００に対するオペレータの操作を受け付ける。上述したＪＤＦ情報の編集操作において、ＵＩ制御部１１５はＪＤＦ情報を解釈してディスプレイ１０２に印刷ジョブの内容を表示する。
【００９３】
ジョブ制御部１１６は、システム制御部１１３からのジョブの実行指示に基づいてジョブの実行に係る制御を行う。具体的に、ジョブ制御部１１６が行う制御は、ＪＤＦ解析部１１７によるＪＤＦ解析処理、ＲＩＰ部１１８によるＲＩＰ処理、プリンタ制御部１２２によるデジタルエンジン１５０の制御処理である。
【００９４】
ジョブ制御部１１６は、システム制御部１１３からジョブの実行指示を受けると、ジョブデータに含まれるＪＤＦ情報をＪＤＦ解析部１１７に入力してＪＤＦ変換要求を行う。ＪＤＦ変換要求とは、ＪＤＦ情報の生成元の形式で記述されたＪＤＦ情報を、ＲＩＰ部１１８において認識可能な形式に変換する処理の要求である。即ち、ＪＤＦ解析部１１７が、処理設定情報変換部として機能する。
【００９５】
他方、上述したように“パススルーモード”が指定されている場合、ジョブ制御部１１６は、システム制御部１１３から取得したジョブデータに含まれるＪＤＦ情報を、そのままＲＩＰ部１１８に入力する。“パススルーモード”の指定は例えば個別ジョブ受信部１１２によってＪＤＦ情報に記述される。また、個別ジョブ受信部１１２によって“パススルーモード”の指定がされた場合、指定されたＲＩＰエンジン１２０に応じて「ページモード」、「シートモード」の指定も記述される。
【００９６】
また、本実施形態に係るジョブ制御部１１６は、ジョブデータに含まれるＪＤＦ情報を管理するＪＤＦ設定管理部１２６を含む。ＪＤＦ設定管理部１２６は、ＤＦＥ１００に搭載されているＲＩＰエンジン１２０に共通の部分と各ＲＩＰエンジン１２０に固有の部分とに分け、ＪＤＦ情報の管理を行う。
【００９７】
ＪＤＦ解析部１１７は、上述したように生成元の形式で記述されたＪＤＦ情報をＲＩＰ部１１８において認識可能な形式に変換する。ＪＤＦ解析部１１７は内部に変換テーブルを保持しており、その変換テーブルに従ってＪＤＦ情報に含まれる情報のうちＲＩＰ部１１８において必要な情報を抜き出して記述形式を変換する。これにより、上述したＤＦＥ内ジョブ属性が生成される。
【００９８】
図７は、本実施形態に係るＪＤＦ解析部１１７が保持している変換テーブルの例を示す図である。図７に示すように、本実施形態に係る変換テーブルは、ＪＤＦ情報における記述形式とＤＦＥ内ジョブ属性における記述形式とが関連付けられた情報である。例えば、図３において説明した“部数”の情報は、実際のＪＤＦ情報においては“Ａ・Ａｍｏｕｎｔ”と記述されており、ＤＦＥ内ジョブ属性の生成に際して“部数”という記述に変換される。
【００９９】
図７に示すような変換テーブルを用いたＪＤＦ解析部１１７の処理により、ＤＦＥ内ジョブ属性が生成される。ＤＦＥ内ジョブ属性において記述される情報は、例えば図３に示す“ジョブ情報”、“エディット情報”、“フィニッシング情報”等である。
【０１００】
また、ＪＤＦ解析部１１７は、ＤＦＥ内ジョブ属性の生成に際して、ＤＦＥ内ジョブ属性に“ＲＩＰ制御モード”を設定する。“ＲＩＰ制御モード”には、「ページモード」、「シートモード」等が設定される。ＪＤＦ解析部１１７は、ジョブデータを受信した個別ジョブ受信部１１２の種類、ジョブの内容、ジョブデータの送信元であるＨＷＦサーバ４を構成するＨＷＦソフトウェア等に応じて“ＲＩＰ制御モード”を割り当てる。
【０１０１】
本実施形態においては、印刷ジョブにおける集約印刷の設定を「ページモード」で扱っている。“ＲＩＰ制御モード”について詳細は後述する。
【０１０２】
ジョブ制御部１１６は、ＪＤＦ解析部１１７によって生成されたＤＦＥ内ジョブ属性に基づいて“ＲＩＰパラメータ”を生成し、ＲＩＰ部１１８のＲＩＰ制御部１１９に対してＲＩＰパラメータを受け渡すことによりＲＩＰ処理を実行させる。これにより、ＲＩＰ部１１８においてはＲＩＰパラメータに基づいてＲＩＰ処理が実行される。
【０１０３】
図８は、本実施形態に係るＲＩＰパラメータの内容を示す図である。本実施形態に係るＲＩＰパラメータは、冒頭の情報として“入出力データ種類”、“データ読み込み情報”、“ＲＩＰ制御モード”を含む。“入出力データ種類”は、「ＪＤＦ」、「ＰＤＬ」等、入出力データの種類を指定する。指定の形式は、「ＪＤＦ」、「ＰＤＬ」等の他、テキスト形式や画像データの拡張子、中間データ等である。
【０１０４】
“データ読み込み情報”は、入出力データの読み込み位置、書き込み位置の指定方法や、指定位置の情報である。“ＲＩＰ制御モード”は、「ページモード」、「シートモード」の情報である。この他、冒頭の情報としては、ＲＩＰパラメータ内で使用する単位の情報や、データの圧縮方式の情報が含まれる。
【０１０５】
“入出力画像情報”は、“出力画像に関する情報”、“入力画像に関する情報”、“画像の取り扱いに関する情報”を含む。“出力画像に関する情報”は、出力画像データのフォーマット、解像度、サイズ、カラー分解、カラーシフト、ページ向き等の情報を含む。また、“入力画像に関する情報”は、入力画像データのフォーマット、解像度、ページ範囲、カラー設定等の情報を含む。“画像の取り扱いに関する情報”は、拡大縮小アルゴリズムのオフセット、オブジェクト領域、ハーフトーンのオフセット等の情報を含む。
【０１０６】
“ＰＤＬ関連情報”は、ＲＩＰパラメータが対象とするＰＤＬ情報に関連する情報であり、“データ領域”、“サイズ情報”、“データ配置方式”の情報を含む。尚、ここで言うＰＤＬ情報は、ジョブにおいて印刷対象となるデータであり、中間データの場合を含む。“データ領域”は、ＰＤＬ情報の格納されている領域情報を指定する。“サイズ情報”は、ＰＤＬ情報のデータサイズを指定する。“データ配置方式”は、「リトルエンディアン」、「ビッグエンディアン」等、ＰＤＬ情報のメモリにおけるデータ配置方式を指定する。
【０１０７】
他方、“パススルーモード”の場合、ジョブ制御部１１６は、ＪＤＦ情報及びＰＤＬ情報又は中間データに基づいてＲＩＰパラメータを生成する。この場合、ＲＩＰパラメータを構成する各項目には、対応するＪＤＦ情報の項目を参照するための情報が設定される。
【０１０８】
図８に示すように、ＲＩＰパラメータには“ＲＩＰ制御モード”が含まれる。ＲＩＰ制御部１１９は、“ＲＩＰ制御モード”に応じてＲＩＰエンジン１２０を制御する。従って、“ＲＩＰ制御モード”に従ってシーケンスが決定される。上述したように、“ＲＩＰ制御モード”には「ページモード」、「シートモード」が設定される。
【０１０９】
「ページモード」は、１枚の用紙に集約された複数の集約前のページ毎にＲＩＰ処理を実行してラスターデータを生成する処理である。「シートモード」は、１枚の用紙に集約される複数ページ毎にＲＩＰ処理を実行して、１枚に集約されたラスターデータを生成する処理である。
【０１１０】
また、“パススルーモード”の場合、“ＲＩＰ制御モード”に「パススルーモード」が指定される。但しこれは一例であり、“ＲＩＰ制御モード”以外の項目に「パススルーモード」が記述されていても良い。
【０１１１】
また、ジョブ制御部１１６は、ＲＩＰパラメータに“ＲＩＰエンジン識別情報”を設定する。“ＲＩＰエンジン識別情報”は、ＲＩＰ部１１８に含まれる複数のＲＩＰエンジン１２０を識別する情報である。本実施形態においては、ＨＷＦサーバ４に搭載されているＲＩＰエンジン４２０に対応した同一のＲＩＰエンジンがＤＦＥ１００において用いられる。
【０１１２】
そのため、ＪＤＦ情報には、上述したように個別ジョブ受信部１１２を指定する情報が含まれており、そのように指定された個別ジョブ受信部１１２によってジョブデータが受信される。個別ジョブ受信部１１２は、ＲＩＰエンジン１２０のいずれかに対応しており、対応するＲＩＰエンジン１２０の識別情報を、受信したＪＤＦ情報に付加する。ジョブ制御部１１６は、このようにＪＤＦ情報に付加されたＲＩＰエンジン１２０の識別情報に基づき、上述した“ＲＩＰエンジン識別情報”をＲＩＰパラメータに付加する。
【０１１３】
ＲＩＰ部１１８においては、ＲＩＰ制御部１１９が複数のＲＩＰエンジン１２０を制御し、入力されたＲＩＰパラメータに基づいてＲＩＰ内部処理を実行させてラスターデータを生成する。ここで、本実施形態に係るＲＩＰ制御部１１９は、本実施形態に係るシステムが、異なる複数のＨＷＦサーバ４から印刷ジョブを受信する可能性があることに対応するための機能を有する。
【０１１４】
異なる種類のＨＷＦサーバ４においては、印刷ジョブにおけるデータの取り扱い方法が異なる場合がある。例えば、上述した「ページモード」、「シートモード」等の“ＲＩＰ制御モード”の違いである。「ページモード」に対応したＲＩＰエンジン１２０の場合、集約印刷に際しては、集約数に応じた元ページのデータが夫々順番に指定される。
【０１１５】
他方、「シートモード」に対応したＲＩＰエンジン１２０の場合、集約前の元ページのデータが全て指定されてＲＩＰ処理が実行される。即ち、ＲＩＰエンジン１２０に対するパラメータの指定方法が異なる。このような差異は“ＲＩＰ制御モード”に限らない。例えば、元データの余白の取り扱い等、元データの形式や取扱い方法の差異によって発生する。
【０１１６】
このような差異に対応するため、本実施形態に係るＲＩＰ制御部１１９は、ＲＩＰ処理を実行させるＲＩＰエンジン１２０に応じて、ＲＩＰエンジン１２０に対して指定するパラメータの変換処理を行う。例えば、「シートモード」に対応したＲＩＰエンジン１２０に対して、「ページモード」に対応したデータを入力する場合、「ページモード」で記述されたパラメータを「シートモード」に変換する処理を行う。ＲＩＰエンジン１２０の機能については後に詳述する。
【０１１７】
画像格納部１２１は、ＲＩＰエンジン１２０によって生成されたラスターデータを記憶する記憶部である。画像格納部１２１は、図２において説明したＨＤＤ４０等によって実現される。この他、ＤＦＥ１００にＵＳＢインタフェース等を介して接続された記憶装置や、ネットワークを介して接続された記憶装置であっても良い。
【０１１８】
プリンタ制御部１２２は、デジタルエンジン１５０と接続されており、画像格納部１２１に格納されたラスターデータを読み出してデジタルエンジン１５０に送信することによって印刷出力を実行させる。また、ジョブ制御部１１６からＤＦＥ内ジョブ属性に含まれるフィニッシング情報を取得することにより、仕上げ処理のための制御を行う。
【０１１９】
プリンタ制御部１２２は、デジタルエンジン１５０との間で情報をやり取りすることにより、デジタルエンジン１５０自身の情報を取得することが出来る。例えばＣＩＰ４規格の場合、ＪＤＦ情報の規格としてデバイス仕様情報をプリンタと送受信するＤｅｖＣａｐｓという規格が定められている。また、ＳＮＭＰ（Ｓｉｍｐｌｅ  Ｎｅｔｗｏｒｋ  Ｍａｎａｇｅｍｅｎｔ  Ｐｒｏｔｏｃｏｌ）という通信プロトコルとＭＩＢ（Ｍａｎａｇｅｍｅｎｔ  Ｉｎｆｏｒｍａｔｉｏｎ  Ｂａｓｅ）というデータベースとを利用したプリンタの情報の収集方法も知られている。
【０１２０】
デバイス情報管理部１２３は、ＤＦＥ１００自身やデジタルエンジン１５０の情報であるデバイス情報を管理する。デバイス情報には、ＲＩＰ部１１８に含まれるＲＩＰエンジン１２０の情報や、ジョブ受信部１１１において構成されている個別ジョブ受信部１１２の情報が含まれる。そして、個別ジョブ受信部１１２の情報として、上述した“パススルーモード”の情報も含まれる。
【０１２１】
デバイス情報通信部１２４は、ＭＩＢやＪＭＦ（Ｊｏｂ  Ｍｅｓｓａｇｉｎｇ  Ｆｏｒｍａｔ）などの仕様に合わせた形で、ネットワークＩ／Ｆ１０１を介してＨＷＦサーバ４との間でデバイス情報のやり取りを行う。これにより、ＨＷＦサーバ４のデバイス情報通信部４１５が、ＤＦＥ１００からデバイス情報を取得する。その結果、クライアント端末５に表示されたＧＵＩにおいて、ＤＦＥ１００に含まれるＲＩＰエンジン１２０の情報や、個別ジョブ受信部１１２の情報が反映されることとなる。
【０１２２】
ＤＦＥ１００においてプリンタ制御部１２２によってデジタルエンジン１５０が制御されて印刷出力が完了すると、システム制御部１１３はジョブ制御部１１６を介してそれを認識する。そして、システム制御部１１３は、ジョブ受信部１１１を介して印刷ジョブの完了通知をＨＷＦサーバ４に通知する。これにより、ＨＷＦサーバ４のジョブ送受信部４２１がジョブの完了通知を受け付ける。
【０１２３】
ＨＷＦサーバ４においては、ジョブ送受信部４２１がジョブ制御部４１３にジョブ完了通知を転送し、ジョブ制御部４１３がワークフロー制御部４１８にジョブ完了を通知する。ＨＷＦサーバ４からＤＦＥ１００へのジョブデータの送信は、元々ワークフロー制御部４１８がワークフロー情報に従って実行したものである。
【０１２４】
ワークフロー制御部４１８は、ＤＦＥ１００によるジョブの完了を認識すると、ワークフロー情報に従って次の処理の実行を制御する。ＤＦＥ１００による印刷出力の次に設定される処理としては、例えば後処理装置３による後処理等がある。
【０１２５】
次に、本実施形態に係るＲＩＰエンジンの機能構成について説明する。図９は、ＪＤＦ解析部１１７によるＪＤＦ解析処理を伴う場合のＲＩＰエンジン１２０の機能構成を示す図である。上述したように、ＲＩＰエンジン１２０は図８において説明したＲＩＰパラメータに基づいてＲＩＰ内部処理を実行してラスターデータを生成するソフトウェアモジュールである。ＲＩＰエンジンとしては、例えばアドビ・システムズによって提供されるＰＤＦプリンティングエンジンであるＡＰＰＥ等がベースとして用いられる。
【０１２６】
図９に示すように、ＲＩＰエンジン１２０は、制御部２０１と他の部分とによって構成される。制御部２０１以外の部分が、ベンダーによって拡張可能な拡張部である。制御部２０１は、拡張部として含まれる様々な機能を利用することによりＲＩＰ処理を実行する。
【０１２７】
入力部２０２は、初期化要求やＲＩＰ処理の実行要求を受け付け、その要求を制御部２０１に通知する。初期化要求に際しては、上述したＲＩＰパラメータも共に制御部２０１に入力される。初期化要求を受けた制御部２０１は、同時に受け付けたＲＩＰパラメータをＲＩＰパラメータ解析部２０３に入力する。そして、ＲＩＰパラメータ解析部２０３の機能によりＲＩＰパラメータの解析結果を取得し、ＲＩＰ処理においてＲＩＰエンジン１２０に含まれる夫々の拡張部を動作させる順番を決定する。また、それらの処理の結果生成されるデータの形式が、ラスタイメージ、プレビューイメージ、ＰＤＦ、中間データ等のいずれかを決定する。
【０１２８】
また、制御部２０１は、入力部２０２からＲＩＰ処理の実行要求を受け付けると、初期化要求を受け付けた際に決定した処理順に従って拡張部の各部を動作させる。プリフライト処理部２０４は、入力されたＰＤＬデータの内容の妥当性の確認を行う。そして、不正なＰＤＬ属性を発見した場合、制御部２０１に通知する。この通知を受けた制御部２０１は、出力部２１３を介してＲＩＰ制御部１１９やジョブ制御部１１６等の外部モジュールに通知を行う。
【０１２９】
プリフライト処理によって確認される属性の情報としては、例えば非対応のフォントが指定されていないか否か等、ＲＩＰエンジン１２０に含まれる他のモジュールによる処理が不可能になる事態が発生し得る情報である。
【０１３０】
ノーマライズ処理部２０５は、入力されたＰＤＬデータがＰＤＦではなくＰｏｓｔＳｃｒｉｐｔである場合にＰＤＦに変換する。マーク処理部２０６は、指定されたマークのグラフィック情報を展開し、印刷対象の画像において指定された位置に重畳する。
【０１３１】
フォント処理部２０７は、フォントデータを取り出し、フォントのＰＤＬへの埋め込みフォント化、アウトライン化を行う。ＣＭＭ（Ｃｏｌｏｒ  Ｍａｎａｇｅｍｅｎｔ  Ｍｏｄｕｌｅ）処理部２０９は、ＩＣＣ（Ｉｎｔｅｒｎａｔｉｏｎａｌ  Ｃｏｌｏｒ  Ｃｏｎｓｏｒｔｉｕｍ）プロファイルに記述された色変換テーブル等に基づいて、入力画像の色空間をＣＭＹＫ（Ｃｙａｎ，Ｍａｇｅｎｔａ，Ｙｅｌｌｏｗ，ｂｌａｃＫ）へ変換する。ＩＣＣプロファイルとは、カラーＩＣＣ情報、デバイスＩＣＣ情報である。
【０１３２】
Ｔｒａｐｐｉｎｇ処理部２１０は、トラッピング処理を行う。トラッピング処理とは、境界を接して隣接している異なる色の領域について位置ずれが生じた場合に境界部分に隙間が生じることを防ぐため、夫々の色の領域を拡張して隙間が埋まるようにする処理である。
【０１３３】
Ｃａｌｉｂｒａｔｉｏｎ処理部２１１は、ＣＭＭ処理部２０９による色変換の精度を高めるため、出力デバイスの経時変動や個体差による発色バランスのばらつきの調節作業を実施する。尚、Ｃａｌｉｂｒａｔｉｏｎ処理部２１１による処理は、ＲＩＰエンジン１２０の外部において実行される場合もあり得る。
【０１３４】
Ｓｃｒｅｅｎｉｎｇ処理部２１２は、最終出力を意識した網点の生成処理を実施する。尚、Ｓｃｒｅｅｎｉｎｇ処理部２１２による処理は、Ｃａｌｉｂｒａｔｉｏｎ処理部２１１による処理と同様に、ＲＩＰエンジン１２０の外部において実行される場合もあり得る。出力部２１３は、外部にＲＩＰ結果を送信する。ＲＩＰ結果は、初期化時に決定したラスタイメージ、プレビューイメージ、ＰＤＦ、中間データのいずれかである。
【０１３５】
レンダリング処理部２１８は、入力データに基づいてラスターデータを生成するレンダリング処理を行う。尚、図９に示す各処理部のうち、マーク処理部２０６、フォント処理部２０７による処理は、レンダリング処理部２１８において同時に実行される場合もある。
【０１３６】
次に、ＪＤＦ解析部１１７によるＪＤＦ解析処理を伴わない場合のＲＩＰエンジン１２０の機能構成について、図１０を参照して説明する。上述したように、ＪＤＦ解析部１１７によるＪＤＦ解析処理を伴わない場合とは、ＨＷＦサーバ４とＤＦＥ１００とでＲＩＰ内部処理を分散する場合である。従って、図１０に示すＲＩＰエンジン１２０と同様の構成をＨＷＦサーバ４に搭載されるＲＩＰエンジン４２０も含む。
【０１３７】
図１０に示すように、ＪＤＦ解析部１１７によるＪＤＦ解析処理を伴わない場合のＲＩＰエンジン１２０の機能構成は、大部分は図９において説明した構成と同一である。以下、図９とは異なる部分のみ説明する。制御部２０１以外の部分が拡張部であることも図９と同様である。
【０１３８】
図１０の例における制御部２０１は、入力部２０２から初期化要求を受け付けると、初期化要求と共にＪＤＦ情報を取得する。そして、制御部２０１は、ジョブ属性解析部２１４の機能を利用してＪＤＦ情報及びＰＤＬ情報を解析し、図９の場合と同様に拡張部夫々の処理順や処理の結果生成されるデータの形式を決定する。
【０１３９】
特に、ＤＦＥ１００に搭載されたＲＩＰエンジン１２０の場合、処理結果のデータ形式はプリンタ制御部１２２に入力するためのラスターデータとなることが多い。これに対して、ＨＷＦサーバ４に搭載されたＲＩＰエンジン４２０の場合、処理結果のデータ形式は、ＨＷＦサーバ４とＤＦＥ１００との処理の分散態様に応じて異なる。従って、ＲＩＰエンジン４２０における制御部２０１は、ジョブ属性解析部２１４による解析結果に基づき、ＰＤＬ情報や中間データ等の処理結果のデータ形式を決定する。
【０１４０】
また、制御部２０１は、ＲＩＰステータス解析部２１５の機能を利用して、ＪＤＦ情報に含まれるＲＩＰステータスの情報を解析し、既に実行済みのＲＩＰ内部処理の有無を確認する。既に実行済みのＲＩＰ内部処理部がある場合は、対応する拡張部を処理の対象から除外する。
【０１４１】
尚、ＲＩＰステータス解析部２１５は、ＪＤＦ情報に含まれるＲＩＰステータスを解析する場合の他、ＰＤＬ情報を解析して同様の処理を実行することも可能である。ＰＤＬ情報の場合、既に実行されたＲＩＰ内部処理についてはパラメータ等の属性情報が消えているので、残っている属性情報に基づいて未実行であるＲＩＰ内部処理を判断することが可能である。
【０１４２】
レイアウト処理部２１７は、面付け処理を実行する。ＲＩＰステータス管理部２１６は、制御部２０１の制御に従い、夫々の拡張部によって実行されたＲＩＰ内部処理に対応するＲＩＰステータスを「Ｄｏｎｅ」に書き換える。出力部２１３は、エンジンの外部にＲＩＰ結果を送信する。ＲＩＰ結果は、初期化時に決定したデータ形式のデータである。
【０１４３】
図１０に示すレンダリング処理部２１８も、図９と同様に入力データに基づいてラスターデータを生成するレンダリング処理を行う。そして、図１０示す各処理部のうち、マーク処理部２０６、フォント処理部２０７による処理に加えて、レイアウト処理部２１７による処理が、レンダリング処理部２１８において同時に実行される場合もある。
【０１４４】
また、上述したように、ＪＤＦ情報に含まれる“ＲＩＰデバイス指定”の情報によっては、「ＤＦＥ（エンジンＡ）」、「ＤＦＥ（エンジンＢ）」のように、ＤＦＥ１００内部に搭載された複数のＲＩＰエンジン１２０を使い分ける場合がある。制御部２０１では、他のＲＩＰエンジンの拡張部に処理を委託することは出来ないため、ジョブ制御部１１６によって処理される。
【０１４５】
上述したように、ジョブ制御部１１６は、“ＲＩＰエンジン識別情報”をＲＩＰパラメータに付加する。この際、異なるＲＩＰエンジンが指定されたＲＩＰ内部処理毎に、異なるＲＩＰパラメータを生成する。図３の例の場合、“フォント”、“レイアウト”の実行が指定された「エンジンＡ」用のＲＩＰパラメータと、“マーク”の実行が指定された「エンジンＢ」用のＲＩＰパラメータと、それ以降の処理の実行が指定された「エンジンＡ」用のＲＩＰパラメータとを生成する。
【０１４６】
そして、ジョブ制御部１１６は、ＲＩＰ内部の処理の順番に従って、生成したＲＩＰパラメータ毎に順番にＲＩＰ部１１８にＲＩＰ処理を要求する。これにより、「エンジンＡ」、「エンジンＢ」が使い分けられてＲＩＰ内部処理が実行される。
【０１４７】
この際、夫々のエンジンにおいて指定された処理のみが実行されるようにする方法として、“ＲＩＰステータス”の情報を参照することが出来る。即ち、実行させる処理の項目のみステータスを「ＮｏｔＹｅｔ」とし、他の処理を「Ｄｏｎｅ」とすることにより、指定した処理のみを実行させることが出来る。
【０１４８】
尚、上述したように、本実施形態に係るシステムにおいては、ＨＷＦサーバ４に搭載されているＲＩＰエンジン４２０と共通のＲＩＰエンジン１２０がＤＦＥ１００に搭載されている。ここで、共通化されたＲＩＰエンジンとは、少なくともラスターデータの生成に関する部分である。
【０１４９】
従って、ＲＩＰエンジン４２０とＲＩＰエンジン１２０とは、図９、図１０に示す夫々の処理部の全てが共通化されているのではない。少なくとも、マーク処理部２０６、フォント処理部２０７、レイアウト処理部２１７及びレンダリング処理部２１８等の、ラスターデータの生成に係る処理部が共通化されていれば良い。尚、ラスターデータの生成に係る処理部が共通化されるのは最低限の構成であり、他の処理部について共通化されていても良い。
【０１５０】
次に、本実施形態に係るシステムの動作について、図１１を参照して説明する。図１１は、本実施形態に係るＨＷＦシステムの動作を示すシーケンス図である。図１１においては、デジタルプリンタ１により印刷出力が実行される場合の例を示している。図１１に示すように、ＨＷＦサーバ４においては、デバイス情報通信部４１５がネットワークを介してＤＦＥ１００やＣＴＰ２００からデバイス情報を取得し、デバイス情報管理部４１６がデバイス情報格納部４１７に情報を登録する（Ｓ１１０１）。Ｓ１１０１の処理は定期的に実行される。
【０１５１】
他方、クライアント端末５は、システムのＧＵＩに対するオペレータの操作によりジョブデータの登録操作が行われると、ＨＷＦサーバ４に対してジョブ登録要求を送信する（Ｓ１１０２）。ＨＷＦサーバ４においてはＵＩ制御部４１２がジョブ登録要求を取得する。これにより、システム制御部４１０の制御に従ってデータ受信部４１１がジョブデータを取得する（Ｓ１１０３）。
【０１５２】
データ受信部４１１によってジョブデータが取得されると、システム制御部４１０はジョブ制御部４１３を制御し、取得したジョブデータの形式をＰＤＬ形式に変換する（Ｓ１１０４）。このようにして変換されたジョブデータがジョブデータ格納部４１４に登録される。Ｓ１１０２においてジョブの登録操作が行われるＧＵＩにおいては、登録対象のデータをファイルパス等により指定するためのインタフェースの他、図３において説明したＪＤＦに含まれる情報の項目を夫々指定するための入力部が表示される。
【０１５３】
また、Ｓ１１０１の処理により、ＨＷＦサーバ４においては、ＤＦＥ１００に搭載されているＲＩＰエンジンの種類の情報が取得されている。従って、クライアント端末５のＧＵＩにおいては、図３に示す“ＲＩＰデバイス指定”の情報を指定するための入力欄においては、ＤＦＥに実行させる場合に、どのＲＩＰエンジンに実行させるかを選択することが可能となる。
【０１５４】
また、クライアント端末５は、システムのＧＵＩに対するオペレータの操作によりジョブデータの分割操作が行われると、ＨＷＦサーバ４に対してジョブ分割要求を送信する（Ｓ１１０５）。図１２は、Ｓ１１０５において送信されるジョブ分割要求に含まれる情報の例を示す図である。図１２に示すように、分割対象のジョブを示す情報の他、分割の内容が指定された情報がジョブ分割要求において送信される。分割の内容を示す情報は、印刷出力を実行するデバイスがページ単位で指定された情報である。
【０１５５】
ジョブ分割要求を受けたＨＷＦサーバ４においては、システム制御部４１０が、図１２に示す情報において指定されている分割対象ジョブについて、分割内容に従ってページ単位でジョブを分割し、別個のジョブを生成する（Ｓ１１０６）。この際、夫々の分割範囲毎に指定されているデバイスが、ＪＤＦ情報において図３に示す“デバイス指定”の情報として用いられる。このようにして分割して生成されたジョブが個別のジョブとしてジョブデータ格納部４１４に格納される。
【０１５６】
また、クライアント端末５は、システムのＧＵＩに対するオペレータの操作によりワークフローの生成操作作が行われると、ＨＷＦサーバ４に対してワークフロー生成要求を送信する（Ｓ１１０７）。ワークフロー生成要求においては、図５に示すようなワークフローの内容を指定する情報及びそのワークフローに従って処理すべきジョブを特定する情報が送信される。
【０１５７】
ワークフロー生成要求を受けたＨＷＦサーバ４においては、システム制御部４１０が、要求と共に受信した情報をワークフロー制御部４１８に入力する。これにより、ワークフロー制御部４１８が、受信した情報に基づいて新たなワークフロー情報を生成してワークフロー情報格納部４１９に格納すると共に、そのワークフローと要求において特定されたジョブとを関連付ける（Ｓ１１０８）。ワークフローとジョブとの関連付けは、例えばワークフローを識別するための識別子をＪＤＦ情報に付加することによって実行される。
【０１５８】
このような処理の後、クライアント端末５においてシステムのＧＵＩに対するオペレータの操作によりジョブ実行操作が行われると、クライアント端末５がＨＷＦサーバ４に対してジョブ実行要求を送信する。尚、Ｓ１１０２〜Ｓ１１０９の操作は夫々異なる操作に応じて実行されても良いし、一度の操作でジョブ登録要求、ジョブ分割要求、ワークフロー生成要求、ジョブ実行要求が行われても良い。
【０１５９】
ジョブ実行要求を受けたＨＷＦサーバ４においては、システム制御部４１０が、要求と共に受信したジョブデータを特定するための情報に基づき、ジョブデータ格納部４１４から指定されたジョブデータを取得する（Ｓ１１１０）。また、システム制御部は、取得したジョブデータにおいて指定されているデバイスの最新の情報をデバイス情報管理部４１６から取得し、ジョブに対してデバイスの情報を設定する（Ｓ１１１１）。
【０１６０】
その後、システム制御部４１０は、ワークフロー制御部４１８にジョブデータを受け渡し、ワークフローの実行を開始させる（Ｓ１１１２）。ワークフロー制御部４１８は、取得したジョブデータに関連付けられているワークフロー情報をワークフロー情報格納部４１９から取得し、ワークフロー情報に従って処理を実行する。
【０１６１】
ワークフロー処理においては、まずＨＷＦサーバ４に搭載されたＲＩＰエンジン４２０によって実行するべきサーバ内処理が実行される（Ｓ１１１３）。Ｓ１１１３においては、ジョブ制御部４１３がワークフロー制御部４１８の制御に従って上述したようにＲＩＰエンジン４２０に処理を実行させる。
【０１６２】
その後、ワークフローの処理がＤＦＥ１００における処理に到達したら、ジョブ制御部４１３が、ワークフロー制御部４１８の制御に従い、ジョブ送受信部４２１を制御してＤＦＥ１００にジョブデータを送信させる（Ｓ１１１４）。Ｓ１１１４においては、ジョブ制御部４１３が、複数の個別ジョブ受信部１１２からＪＤＦ情報において指定されている情報に応じた個別ジョブ受信部１１２を指定する。
【０１６３】
ＤＦＥ１００へのジョブデータの送信に際して複数の個別ジョブ受信部１１２のいずれかが指定されることにより、ＤＦＥ１００において適切な個別ジョブ受信部１１２がジョブデータを受信することとなる。ＤＦＥ１００にジョブデータが入力されることにより、上述したように、ＤＦＥ１００においてＲＩＰ処理やデジタルエンジン１５０による出力処理が実行される（Ｓ１１１５）。
【０１６４】
ＤＦＥ１００においては、指定された処理が完了すると、ジョブ受信部１１１によってＨＷＦサーバ４に完了通知が行われる（Ｓ１１１６）。ジョブ制御部４１３は、ジョブ送受信部４２１を介してＤＦＥ１００からの完了通知を受け取ると、ワークフロー制御部４１８に完了通知を行う。これにより、ワークフロー制御部４１８は、ＤＦＥ１００での制御の次にワークフローで指定されている後処理を実行させるための後処理要求を後処理装置３に対して行う（Ｓ１１１７）。
【０１６５】
Ｓ１１１７においては、ジョブ制御部４１３がワークフロー制御部４１８の制御に従ってジョブ送受信部４２１を制御し、後処理装置３に対して後処理要求を行う。このような処理により、本実施形態に係るシステムの動作が完了する。
【０１６６】
次に、図１１のＳ１１１５におけるＤＦＥ内処理について図１３のフローチャートを参照して説明する。図１３に示すように、まずはＨＷＦサーバ４からのジョブデータの送信に際して指定された個別ジョブ受信部１１２がジョブデータを受信する（Ｓ１３０１）。個別ジョブ受信部１１２は、ジョブデータを受信すると、自身に対して設定されている個別設定をジョブデータに反映するようにＪＤＦ情報を更新する（Ｓ１３０２）。
【０１６７】
上述した“パススルーモード”の設定もＳ１３０２において反映されることとなる。個別設定の反映されたジョブデータはシステム制御部１１３に入力される。システム制御部１１３は、入力されたジョブデータを設定に応じてジョブデータ格納部１１４に格納し、オペレータの操作に応じてＵＩ制御部１１５を介してプレビュー処理等を行う。
【０１６８】
そして、オペレータの操作や設定された実行時間への到達等、ＤＦＥ１００におけるジョブの実行タイミングになると、システム制御部１１３は、ジョブデータをジョブ制御部１１６に入力する。ジョブ制御部１１６は、入力されたジョブデータを参照し、パススルーモードか否かを確認する（Ｓ１３０３）。その結果、パススルーモードでなかった場合（Ｓ１３０３／ＮＯ）、ジョブ制御部１１６はＪＤＦ解析部１１７にジョブデータを入力してＤＦＥ内ジョブ属性を生成させる（Ｓ１３０４）。
【０１６９】
Ｓ１３０３の確認の結果、パススルーモードであった場合（Ｓ１３０４／ＹＥＳ）、若しくはＪＤＦ変換が完了してＤＦＥ内ジョブ属性が生成された場合、ジョブ制御部１１６は、ＲＩＰパラメータを生成する（Ｓ１３０５）。パススルーモードではない場合、Ｓ１３０５においては、図８において説明したようなＲＩＰパラメータが生成される。他方、パススルーモードの場合、図８に示す情報のうち、“入出力画像情報”以外の情報を含むＲＩＰパラメータが生成され、他の部分はＪＤＦ情報が参照される。
【０１７０】
ジョブ制御部１１６は、ＲＩＰパラメータを生成すると、ＲＩＰ部１１８に必要な情報を入力してＲＩＰ処理を実行させる。これにより、まずはＲＩＰ制御部１１９が上述したパラメータ変換を行う（Ｓ１３０６）。そして、ＲＩＰ制御部１１９が、変換後のパラメータを指定してＲＩＰエンジン１２０にＲＩＰ処理を実行させる（Ｓ１３０７）。これにより、ＲＩＰエンジン１２０によってラスターデータが作成される。従って、ジョブ制御部１１６は、ＲＩＰエンジン１２０にジョブデータを送信してＲＩＰ処理を実行させる出力側描画情報生成制御部として機能する。
【０１７１】
尚、Ｓ１３０５においては、上述したように、図３に示す“ＲＩＰデバイス指定”の情報に基づき、ＲＩＰエンジン毎にＲＩＰパラメータが生成される。そして、Ｓ１３０７においては、生成されたＲＩＰパラメータ毎に順番にＲＩＰ処理が実行されてラスターデータが生成される。
【０１７２】
ラスターデータが生成され、ＲＩＰ部１１８からラスターデータを取得すると、ジョブ制御部１１６は、プリンタ制御部１２２にラスターデータを入力して、デジタルエンジン１５０による印刷出力を実行させる（Ｓ１３０８）。このような処理により、ＤＦＥ内処理が完了する。
【０１７３】
次に、図１３のＳ１３０７におけるＲＩＰ処理について、図１４を参照して説明する。図１４に示すように、まずは入力部２０２に対する初期化要求に基づいて制御部２０１が初期化処理を実行する（Ｓ１４０１）。Ｓ１４０１においては、図９の例の場合、ＲＩＰパラメータ解析部２０３がＲＩＰパラメータを受け付けて解析を行い、上述したようにＲＩＰエンジン１２０に含まれる夫々の拡張部のうち処理を実行させる拡張部や、その順番を決定する。また、処理の結果生成されるデータの形式を決定する。
【０１７４】
また、図１０の例の場合、ジョブ属性解析部２１４が、ＪＤＦ情報及びＰＤＬ情報を受け付けて解析を行い、処理を実行させる拡張部や、その順番を決定する。また、処理の結果生成されるデータの形式を決定する。続いて、図１０の例の場合、制御部２０１は、ＲＩＰステータス解析部２１５にステータス解析を実行させる。
【０１７５】
ステータス解析において、ＲＩＰステータス解析部２１５は、図３に示す“ＲＩＰステータス”を参照し、ＲＩＰ内部処理の１つの項目を選択する（Ｓ１４０２）。そして、そのステータスが「Ｄｏｎｅ」であれば（Ｓ１４０３／ＹＥＳ）、対応する拡張部を、Ｓ１４０１の処理において決定した実行対象の拡張部から除外する（Ｓ１４０４）。他方、「ＮｏｔＹｅｔ」であれば（Ｓ１４０３／ＮＯ）、特に処理は行わない。
【０１７６】
ＲＩＰステータス解析部２１５は、全てのＲＩＰ内部処理の項目についてＳ１４０２からの処理が完了するまで処理を繰り返す（Ｓ１４０５／ＮＯ）。ＲＩＰステータス解析部２１５が、全てのＲＩＰ内部処理の項目についてＳ１４０２からの処理を完了した後（Ｓ１４０５／ＹＥＳ）、入力部２０２がＲＩＰ処理の実行要求を取得すると（Ｓ１４０６／ＹＥＳ）、制御部２０１は、夫々の拡張部に対して順番に処理を実行させる（Ｓ１４０７）。
【０１７７】
Ｓ１４０７においては、Ｓ１４０１の処理において決定された拡張部であって、且つＳ１４０４の処理により除外されていない拡張部に対してのみ処理が要求される。また、Ｓ１４０１において決定された処理順に従って処理が要求される。そのようにして拡張部により処理が実行されてラスターデータが生成されると、出力部２１３が処理結果を出力する（Ｓ１４０８）。このような処理により、ＲＩＰ部１１８による処理が完了する。
【０１７８】
尚、本実施形態においては、図１０の例の場合、即ち、パススルーモードに対応しているＲＩＰエンジン１２０の場合についてのみ、Ｓ１４０２〜Ｓ１４０５の処理、即ちステータス解析処理が実行される場合を例としている。これは、ステータス解析処理が必要となるのは、上述したようにＨＷＦサーバ４とＤＦＥ１００とでＲＩＰ処理を分担する場合であることに基づいている。
【０１７９】
そのような場合には、ＨＷＦサーバ４とＤＦＥ１００とで同一のＲＩＰエンジンが搭載されていることを利用して、両者の境目を意識することなく一連の処理としてＲＩＰ処理を実行する。従って、ＨＷＦサーバ４においてＲＩＰエンジン４２０により処理されたデータをそのままＤＦＥ１００においてＲＩＰエンジン１２０に入力することが好ましく、ＲＩＰエンジンの外部に設けられたＪＤＦ解析部１１７を通さないパススルーモードが適している。
【０１８０】
しかしながら、これは一例であり、パススルーモードではない場合であっても、ＨＷＦサーバ４とＤＦＥ１００とでＲＩＰ処理を分担する場合であれば、ステータス解析を行うことが必要となる。即ち、ＨＷＦサーバ４とＤＦＥ１００とでＲＩＰ処理を分担する場合には、ＨＷＦサーバ４において既に実行されたＲＩＰ処理をＤＦＥ１００側で除外する必要がある。
【０１８１】
従って、パススルーモードに対応していないＲＩＰエンジン１２０であっても、ＨＷＦサーバ４とＤＦＥ１００とでＲＩＰ処理を分担するため、ＲＩＰステータス解析部２１５を設けても良い。換言すると、ＨＷＦサーバ４とＤＦＥ１００とでＲＩＰ処理を分担する場合であっても、ＤＦＥ１００側でＪＤＦ解析部１１７によるＪＤＦ解析を行った上で、ＲＩＰステータス解析部２１５によるステータス解析を行って必要なＲＩＰ内部処理を判断しても良い。
【０１８２】
図１５は、切替前後における印刷設定を入力する印刷設定ＵＩを例示した図である。図１５の左図に示すように、ＲＩＰエンジン１２０ａの設定ｊの項目では、ＨＷＦシステムのユーザの任意の設定値を入力することが可能となっている。しかし、図１５の右図に示すように、ＲＩＰエンジン１２０ｂの設定ｊの項目は、ＨＷＦシステムのユーザの任意の設定値が入力不可能な状態で表示される。このような場合、ＲＩＰエンジン１２０を切り替える前の印刷設定をフィードバックしてＲＩＰエンジン１２０切り替え後の印刷設定を行うことが出来ない。
【０１８３】
また、図１６に示すように、切替前後のＵＩにおいて、画像処理内容が似ているものの、設定項目の名称が異なるために、ＲＩＰエンジン１２０を切り替える前の印刷設定をフィードバックしてＲＩＰエンジン１２０切り替え後の印刷設定を行うことが出来ない。
【０１８４】
図１７は、夫々のＲＩＰエンジン１２０における設定項目を例示した図である。図１７に示すように、夫々のＲＩＰエンジン１２０においては、例えば、設定項目３のように、夫々のＲＩＰエンジン１２０において機能差のある設定項目がある。また、設定項目５Ｂは、設定項目５と関連性の高い設定項目であり、図１７においては、ＲＩＰエンジン１２０ｂにおいてのみ設定可能な設定項目である。
【０１８５】
本実施形態においては、ＲＩＰエンジンが切り替えられた際に、切替以前の印刷設定をフィードバックして、ＲＩＰ内部処理を行うための印刷設定ＵＩを表示させる。そのために、本実施形態に係るＪＤＦ設定管理部１２６は、ＲＩＰエンジン１２０の切り替えが行われた際に、印刷設定の実施履歴を参照し、ＲＩＰエンジン切替後の印刷設定ＵＩに反映させる。以下、図１８を参照して、ＪＤＦ設定管理部１２６の機能構成について説明する。
【０１８６】
図１８に示すように、ＪＤＦ設定管理部１２６は、ＪＤＦ情報を管理するデータテーブルとして、設定履歴テーブル１２７、関連管理テーブル１２８を含む。設定履歴テーブル１２７は、ＵＩにおいて、印刷出力の設定履歴を管理するためのデータテーブルであり、図１９に示すように、設定時のＵＩ、対象となる設定、関連する設定、実際に設定した値、設定時刻、採用の有無、対象ジョブのユーザの情報を含む構成である。
【０１８７】
設定時のＵＩは、切替前後のＲＩＰエンジン１２０に基づいて表示されるＵＩの種類の情報である。対象となる設定は、切り替え後のＲＩＰエンジン１２０において、切り替え前のＲＩＰエンジン１２０において設定された設定値がフィードバックされる対象となる設定項目の情報である。関連する設定とは、切り替え後のＲＩＰエンジン１２０にフィードバックされる際に参照される値であり、切り替え前のＲＩＰエンジン１２０の設定項目の情報である。
【０１８８】
実際に設定した値とは、切り替え後のＲＩＰエンジン１２０において、実際に印刷設定を行った実施履歴の情報である。この実施履歴の情報には、その印刷設定を行った時刻、フィードバックされて表示された推奨の設定値の採用／非採用に関する情報、実施対象の印刷ジョブのユーザを判別する情報が含まれる。
【０１８９】
また、対象となる設定、関連する設定、実際に設定した値は、夫々、設定を行ったＲＩＰエンジン１２０、設定項目、設定値を含む情報構成である。設定履歴テーブル１２７は、ＵＩ制御部１１５によって表示されているＵＩにおいて印刷設定が入力されると、図１９に示すような情報を更新する。関連管理テーブル１２８は、設定項目のＪＤＦ情報の関連度合いを管理するためのテーブルであり、関連度合いを算出する方法として、採用率方式と独立性検定方式を用いている。
【０１９０】
図２０は、採用率方式が用いられた関連管理テーブル１２８の情報構成を示す図である。図２０に示すように、採用率方式は、ＪＤＦ情報が設定項目となる採用率に基づいて関連推奨レベルを決定し、ＵＩの表示形式を決定する方式であり、対象となる設定、関連する設定、関連度の初期値、採用率、現在の関連度を含む構成である。
【０１９１】
対象となる設定、関連する設定は、設定履歴テーブル１２７と同様の情報構成であるので、重複する説明を省略する。現在の関連度は、図１９に示す設定履歴テーブル１２７の情報のうち、フィードバックされて表示された推奨の設定値の採用／非採用に関する情報に基づいて設定される。現在の関連度は、設定履歴テーブル１２７に設定履歴が無い場合ンには、関連度の初期値を参照して設定される。図２０に例示した関連管理テーブル１２８においては、どの項目においても、関連度の初期値がレベル３として設定されているが、予め設定された関連推奨レベルを用いてもよい。
【０１９２】
また、採用率方式が用いられた関連管理テーブル１２８は、図２１に示す処理によって更新される。図２１は、採用率方式が用いられた関連管理テーブル１２８を更新する際の処理の流れを示すフローチャートである。まず、ＪＤＦ設定管理部１２６は、設定履歴テーブル１２７に含まれる情報に基づいて対象の項目の採用率を算出する（Ｓ２１０１）。採用率が８０％以上である場合（Ｓ２１０２／Ｙｅｓ）、その項目の関連推奨レベルをレベル３に設定し、関連管理テーブル１２８を更新する（Ｓ２１０３）。
【０１９３】
ＪＤＦ設定管理部１２６は、採用率が８０％未満かつ５０％以上の場合（Ｓ２１０２／ＮｏかつＳ２１０４／Ｙｅｓ）、その項目の関連推奨レベルをレベル２に設定し、関連管理テーブル１２８を更新する（Ｓ２１０５）。採用率が５０％未満の場合（Ｓ２１０４／Ｎｏ）、ＪＤＦ設定管理部１２６は、その項目の関連推奨レベルをレベル１に設定し、関連管理テーブル１２８を更新する（Ｓ２１０６）。
【０１９４】
そして、ＪＤＦ設定管理部１２６は、採用率を算出していない項目がある場合（Ｓ２１０７／Ｎｏ）、その項目について、Ｓ２１０１からの処理を行う。全ての項目について採用率を算出した場合（Ｓ２１０７／Ｙｅｓ）、ＪＤＦ設定管理部１２６は、本処理を終了する。
【０１９５】
尚、採用率を算出する期間としては、例えば、１週間や１ヶ月ほどを所定の期間として算出する。これは、長期間の期間を対象として採用率を算出した場合、印刷設定における最近の傾向が反映されにくくなるためである。また、ＪＤＦ設定管理部１２６は、ＨＷＦシステムのユーザごとに採用率方式が用いられた関連管理テーブル１２８を更新し、データテーブルとして記憶しておいても良い。
【０１９６】
次に、独立性検定方式が用いられた関連管理テーブル１２８について説明する。図２２は、独立性検定方式が用いられた関連管理テーブル１２８の情報構成を示す図である。図２２に示すように、独立性検定方式は、所定期間における各設定項目の設定値が、関連しているか否かについて独立性を検定したものであり、独立性検定方式が用いられた関連管理テーブル１２８は、対象となる設定、関連する設定、関連度の初期値、独立性の検定での受容状況、現在の関連度を含む構成である。
【０１９７】
対象となる設定、関連する設定は、設定履歴テーブル１２７と同様の情報構成であるので、重複する説明を省略する。現在の関連度は、図１９に示す設定履歴テーブル１２７の情報のうち、フィードバックされて表示された推奨の設定値の採用／非採用に関する情報に基づいて設定される。現在の関連度は、設定履歴テーブル１２７に設定履歴が無い場合ンには、関連度の初期値を参照して設定される。図２２に例示した関連管理テーブル１２８においては、関連度の初期値がレベル３として設定されているものもあるが、予め設定された関連推奨レベルを用いてもよい。
【０１９８】
また、独立性検定方式が用いられた関連管理テーブル１２８は、図２３に示す処理によって更新される。図２３は、独立性検定方式が用いられた関連管理テーブル１２８を更新する際の処理の流れを示すフローチャートである。まず、ＪＤＦ設定管理部１２６は、設定履歴テーブル１２７に含まれる情報に基づいて対象の項目についての独立性の検定を実施する（Ｓ２３０１）。
【０１９９】
独立性の検定は、統計的に一般に広く用いられている方法であり、本実施形態においては、例えば、対象の設定項目として、“ＲＩＰエンジン１２０ｂの設定項目５Ｂ、設定値５Ｂ１”、関連する設定項目として、“ＲＩＰエンジン１２０ａの設定項目５、設定値５１”を例にして独立性の検定を行う。
【０２００】
このような場合、ＲＩＰエンジン１２０ｂの設定項目５Ｂにおける設定値が５Ｂ１であるか、否か、そして、ＲＩＰエンジン１２０ａの設定項目５における設定値が５１であるか、否かを設定履歴テーブル１２７から参照する。そして、夫々の設定項目における推奨設定値が実際に採用されているか否かを優位水準によって区別し、関連推奨レベルを設定する。
【０２０１】
ＪＤＦ設定管理部１２６は、対象の設定項目における独立性が優位水準５％検定で受容される場合（Ｓ２３０２／Ｙｅｓ）、その項目の関連推奨レベルをレベル３に設定し、設定履歴テーブル１２７を更新する（Ｓ２３０３）。ＪＤＦ設定管理部１２６は、対象の設定項目における独立性が優位水準１０％検定で受容される場合（Ｓ２３０２／ＮｏかつＳ２３０４／Ｙｅｓ）、その項目の関連推奨レベルをレベル２に設定し、設定履歴テーブル１２７を更新する（Ｓ２３０５）。
【０２０２】
対象の設定項目における独立性が優位水準５％検定で受容されない場合（Ｓ２３０４／Ｎｏ）、ＪＤＦ設定管理部１２６は、その項目の関連推奨レベルをレベル１に設定し、設定履歴テーブル１２７を更新する（Ｓ２３０６）。そして、ＪＤＦ設定管理部１２６は、優位水準の検定をしていない項目がある場合（Ｓ２３０７／Ｙｅｓ）、その項目について、Ｓ２３０１から優位水準の検定を実行する。全ての項目について優位水準の検定を行った場合（Ｓ２３０７／Ｎｏ）、ＪＤＦ設定管理部１２６は、本処理を終了する。
【０２０３】
尚、優位水準の検定を行う期間としては、例えば、１週間や１ヶ月ほどを所定の期間として算出する。これは、長期間の期間を対象として優位水準の検定を行った場合、印刷設定における最近の傾向が反映されにくくなるためである。また、ＪＤＦ設定管理部１２６は、ＨＷＦシステムのユーザごとに独立性検定方式が用いられた関連管理テーブル１２８を更新し、データテーブルとして記憶しておいても良い。
【０２０４】
本実施形態に係るＨＷＦシステムにおいては、上述したような、設定履歴テーブル１２７及び関連管理テーブル１２８を参照して、ＤＦＥ１００に入力された印刷ジョブの出力を行う際に、過去の印刷設定履歴をフィードバックさせて、印刷設定ＵＩを表示させる。図２４は、本実施形態に係る過去の印刷設定履歴がフィードバックされた設定画面である印刷設定ＵＩを表示する処理の流れを示すシーケンス図である。
【０２０５】
本実施形態においては、まず、ＲＩＰエンジン４２０ａが搭載されているＨＷＦサーバ４ａから印刷ジョブａをＤＦＥ１００に入力して印刷出力を行ったのち、ＲＩＰエンジン４２０ｂが搭載されているＨＷＦサーバ４ｂから印刷ジョブｂをＤＦＥ１００に入力し、印刷出力を行う。そして、その後、ＤＦＥ１００に保存されている印刷ジョブａのデータを用いて再度ＤＦＥ１００にて印刷出力を行う際の処理を例として説明を行う。
【０２０６】
まず、クライアント端末５から、ＨＷＦサーバ４ａに印刷ジョブａが入力される（Ｓ２４０１）。ＨＷＦサーバ４ａは、印刷ジョブａを受信する（Ｓ２４０２）と、ＲＩＰエンジン１２０の情報が含まれるデバイス情報の取得要求をＤＦＥ１００に送信する（Ｓ２４０３）。
【０２０７】
ＤＦＥ１００は、アクティベーションされているＲＩＰエンジン１２０（ここでは、ＨＷＦサーバ４ａに搭載されているＲＩＰエンジン４２０に対応するＲＩＰエンジン１２０ａであると仮定する）の情報が含まれるデバイス情報をＨＷＦサーバ４ａに返信する（Ｓ２４０４）。
【０２０８】
ＨＷＦサーバ４ａは、ＤＦＥ１００から受信したデバイス情報に基づいて、ＲＩＰエンジン１２０ａがＤＦＥ１００においてアクティベーションされていることを確認すると、印刷ジョブａをＤＦＥ１００に入力する（Ｓ２４０５）。ＤＦＥ１００は、入力された印刷ジョブａに基づいてＳ１１１５の処理と同様に、ＤＦＥ１００内でＲＩＰ処理を行い（Ｓ２４０６）、印刷出力を実行する（Ｓ２４０７）。そして、ジョブデータ格納部１１４に、印刷ジョブａのジョブデータを格納する（Ｓ２４０８）。
【０２０９】
次に、クライアント端末５から、ＨＷＦサーバ４ｂに印刷ジョブｂが入力される（Ｓ２４０９）。ＨＷＦサーバ４ｂは、印刷ジョブｂを受信する（Ｓ２４１０）と、ＲＩＰエンジン１２０の情報が含まれるデバイス情報の取得要求をＤＦＥ１００に送信する（Ｓ２４１１）。この時、ＤＦＥ１００において、アクティベーションされているＲＩＰエンジン１２０は、ＨＷＦサーバ４ａに搭載されているＲＩＰエンジン４２０に対応するＲＩＰエンジン１２０ａである。
【０２１０】
従って、ＤＦＥ１００は、ＨＷＦサーバ４ａに搭載されているＲＩＰエンジン４２０に対応するＲＩＰエンジン１２０ａの情報が含まれるデバイス情報をＨＷＦサーバ４ｂに返信する（Ｓ２４１２）。ＨＷＦサーバ４ｂは、ＲＩＰエンジン１２０ａの情報が含まれるデバイス情報を受信すると、ＲＩＰエンジン１２０ａからＨＷＦサーバ４ｂに搭載されているＲＩＰエンジン４２０に対応するＲＩＰエンジン１２０ｂに切り替えるＲＩＰ切り替え要求を送信する（Ｓ２４１３）。
【０２１１】
このＲＩＰ切り替え要求は、図２５に示すような情報を含む構成であり、ＲＩＰ切り替えを要求するコマンドの記述は、ＪＭＦ形式で記述される。ＤＦＥ１００は、図２５に示すようなＲＩＰ切り替え要求を受信すると、システム制御部１１３に、ＲＩＰエンジン１２０ａをＲＩＰエンジン１２０ｂに切り替える処理を実行させる（Ｓ２４１４）。したがって、システム制御部１１３は、ＲＩＰエンジン１２０を切り替える処理を実行する起動切替制御部として機能する。そして、ＲＩＰエンジン１２０ｂへの切り替え処理を実行したことを、ＨＷＦサーバ４ｂに通知する（Ｓ２５１５）。
【０２１２】
ＲＩＰエンジン１２０ｂへ切り替えたことを示す通知を受信すると、ＨＷＦサーバ４ｂは、印刷ジョブｂをＤＦＥ１００に入力し（Ｓ２４１６）、ＤＦＥ１００は、Ｓ１１１５の処理と同様に、印刷ジョブｂをＤＦＥ内部処理し（Ｓ２４１７）、印刷出力を実行する（Ｓ２４１８）。
【０２１３】
この後、ＤＦＥ１００に、クライアント端末５から、印刷ジョブａに基づいた印刷出力をおこなうために、印刷設定の変更を要求する（Ｓ２４１９）。この時、ＤＦＥ１００においてアクティベーションされているのは、ＲＩＰエンジン１２０ｂであるため、システム制御部１１３は、ＲＩＰエンジン１２０ｂからＲＩＰエンジン１２０ａに変更する際のＵＩを表示可能にする制御情報が含まれたジョブデータをジョブ制御部１１６に送信する（Ｓ２４２０）。
【０２１４】
ジョブ制御部１１６は、制御情報に従って、ＪＤＦ設定管理部１２６から設定履歴テーブル１２７及び関連管理テーブル１２８を参照し、ＲＩＰエンジン１２０ｂからＲＩＰエンジン１２０ａに切り替えた後の印刷設定ＵＩを表示可能にさせる表示情報を送信する（Ｓ２４２１）。ＵＩ制御部１１５は、設定情報にもとづいて、ＲＩＰエンジン１２０ｂからＲＩＰエンジン１２０ａに切り替えた後の印刷設定ＵＩをディスプレイ１０２に表示させる（Ｓ２４２２）。即ち、ＵＩ制御部１１５は、表示制御部として機能する。
【０２１５】
そして、ＨＷＦシステムのユーザによって、Ｓ２４２２において表示された印刷設定ＵＩが操作されると、システム制御部１１３はその操作に基づいて、印刷ジョブａに対する印刷設定を行う。システム制御部１１３によってなされた印刷設定は、ジョブ制御部１１６に送信され（Ｓ２４２３）、ＲＩＰ部１１８においてＲＩＰ処理を行う際の設定情報として使用される。
【０２１６】
また、システム制御部１１３は、印刷設定の情報をＪＤＦ設定管理部１２６に送信する（Ｓ２４２３）。ＪＤＦ設定管理部１２６は、受信した情報に基づいて、設定履歴テーブル１２７を更新する（Ｓ２４２４）。さらに、ＪＤＦ設定管理部１２６は、Ｓ２４２４で更新された設定履歴テーブル１２７を参照して、関連管理テーブル１２８を更新する（Ｓ２４２５）。すなわち、ＪＤＦ設定管理部１２６は、命令情報管理部として機能する。
【０２１７】
そして、ＨＷＦシステムのユーザによって、クライアント端末５から印刷ジョブａに基づいた印刷出力をおこなうための命令情報が送信される（Ｓ２４２６）。すると、ジョブ制御部１１６は、命令情報に従って、Ｓ２４２２で表示されたＵＩから入力された設定情報に基づいて、ＲＩＰ部１１８に印刷ジョブａをＲＩＰ処理させる（Ｓ２４２７）。
【０２１８】
ラスターデータが生成され、ＲＩＰ部１１８からラスターデータを取得すると、ジョブ制御部１１６は、プリンタ制御部１２２にラスターデータを入力して、デジタルエンジン１５０による印刷出力を実行させる（Ｓ２４２８）。
【０２１９】
尚、Ｓ２４２２において表示される印刷設定ＵＩは、過去の関連管理テーブル１２８の情報に基づいて表示される設定項目が決定される。図２６は、ＲＩＰエンジンを切り替える前に表示される印刷ジョブ実行画面を例示したものである。図２６の印刷ジョブ実行画面においては、ＲＩＰエンジン１２０を切り替える前の設定項目をフィードバックして印刷設定ＵＩを表示させるためのアイコンは表示されていない。
【０２２０】
図２７は、Ｓ２４２２の処理においてＲＩＰエンジンを切り替えた後に表示される印刷ジョブ実行画面を例示したものである。図２７の印刷ジョブ実行画面においては、ＲＩＰエンジン１２０を切り替える前の設定項目をフィードバックして印刷設定ＵＩを表示させるためのアイコン（図２７の切り替え時用設定）が表示される。そして、ＨＷＦシステムのユーザによってアイコンが押下されると、図２８、図２９、図３１に例示するような印刷設定ＵＩに遷移して画面が表示される。
【０２２１】
ジョブ制御部１１６は、ＲＩＰエンジン１２０ａ及びＲＩＰエンジン１２０ｂの双方で関連性の高い印刷設定の項目について関連管理テーブル１２８で管理されている情報を、設定項目を表示させる優先度合いを算出するための情報として使用し、印刷設定ＵＩを表示させる。
【０２２２】
尚、上述したように、算出された設定項目を表示させる優先度合いに応じて関連推奨レベルが設定される。図２８、２９、３１は、関連推奨レベルに応じて表示される印刷設定ＵＩを例示したものである。図２８は、関連推奨レベルがレベル１の場合に表示される印刷設定ＵＩである。
【０２２３】
図２８のＵＩにおいては、ＲＩＰエンジン１２０ｂからＲＩＰエンジン１２０ａにＲＩＰエンジンが切り変わる際に、夫々のＲＩＰエンジンにおいて関連性の大きい設定項目に対して、推奨する設定値を告知するダイアログを表示させる。この時、ＨＷＦシステムのユーザの任意の設定値が入力されると、その入力された設定値を用いて印刷設定を行う。この時、ＪＤＦ設定管理部１２６は、推奨する設定値を用いられると“採用”、ユーザの任意の設定値を用いると”非採用”として、設定履歴テーブル１２７における採用／非採用の履歴を更新する。
【０２２４】
図２９は、関連推奨レベルがレベル２の場合に表示される印刷設定ＵＩである。図２９のＵＩにおいては、ＲＩＰエンジン１２０ｂからＲＩＰエンジン１２０ａにＲＩＰエンジンが切り変わる際に、夫々のＲＩＰエンジンにおいて関連性の大きい設定項目に対して、推奨する設定値を設定するためのダイアログを表示させ、図３０に示すような、推奨された設定値を用いるか否か選択する画面が表示される。
【０２２５】
この時、ユーザが、推奨された設定値を用いる選択操作を行うと、推奨された設定値を用いて印刷設定が行われ、推奨された設定値を用いずに、ユーザの任意の設定値が入力されると、その入力された設定値を用いて印刷設定を行う。この時、ＪＤＦ設定管理部１２６は、推奨する設定値を用いられると“採用”、ユーザの任意の設定値を用いると”非採用”として、設定履歴テーブル１２７における採用／非採用の履歴を更新する。
【０２２６】
図３１は、関連推奨レベルがレベル３の場合に表示される印刷設定ＵＩである。図３１のＵＩにおいては、ＲＩＰエンジン１２０ｂからＲＩＰエンジン１２０ａにＲＩＰエンジンが切り変わる際に、夫々のＲＩＰエンジンにおいて関連性の大きい設定項目に対して、図３２に示すような推奨する設定値を設定項目に適用させたことを告知する画面を表示させる。
【０２２７】
この時、ＨＷＦシステムのユーザによって、“設定を戻す”が押下操作され、任意の設定値が入力されると、推奨された設定値を用いずにユーザの任意の設定値を用いて印刷操作が行われる。この時、ＪＤＦ設定管理部１２６は、推奨する設定値を用いられると“採用”、ユーザの任意の設定値を用いると”非採用”として、設定履歴テーブル１２７における採用／非採用の履歴を更新する。
【０２２８】
以上説明したように、本実施形態に係るＨＷＦシステムにおいては、ＤＦＥ１００に搭載されているＲＩＰエンジン１２０を切り替える際に、ユーザが行う印刷設定の項目ごとに過去の設定履歴を管理し、印刷設定ＵＩに設定履歴をフィードバックさせる。そのため、過去の設定履歴に基づいて推奨された設定値の反映態様を変化させて印刷設定ＵＩを表示することが出来る。
【０２２９】
また、夫々のＲＩＰエンジンに共通のＪＤＦ属性と固有のＪＤＦ属性とに分別して設定履歴を管理することにより、夫々のＲＩＰエンジンにおいて固有のＪＤＦ属性があり、ユーザが設定可能な項目が異なる場合であっても、印刷設定ＵＩに印刷設定の履歴を反映させることが出来る。
【０２３０】
その他の実施形態．
ＨＷＦシステムの使用回数が増加するにつれて、印刷履歴が蓄積されていく。そのため、ＲＩＰエンジン１２０を切り替える際のＵＩにおいて、初期値として関連する印刷設定の項目に設定されていた設定値によって行われるＲＩＰ処理と、ＲＩＰエンジン１２０を切り替える前の印刷設定の項目に設定されていた設定値によって行われるＲＩＰ処理との関連性が小さくなってしまうことがある。
【０２３１】
例えば、ＲＩＰエンジン１２０を切り替える際のＵＩにおいて、初期値として「設定値５１」に設定されていた項目に対して、ユーザが度々「設定値５３」や「設定値５２」などと設定してＲＩＰ処理を行うことがある。このような場合、ＲＩＰエンジン１２０の切り替え前後において、初期値として関連する印刷設定の項目に設定されていた設定値とＲＩＰエンジン１２０を切り替える前の印刷設定の項目に設定されていた設定値との関連性が小さくなってしまう。
【０２３２】
そこで、本実施形態においては、ＲＩＰエンジン１２０の切り替え前後において、関連性が小さくなった設定値の代わりとなる他の設定値を、ユーザが行う印刷設定の履歴に基づいて決定する。
【０２３３】
図３３は、本実施形態に係るジョブ制御部１１６の機能構成を示す機能ブロック図である。図３３に示すように、本実施形態に係るジョブ制御部１１６は、ＪＤＦ設定管理部１２６を含む。また、ＪＤＦ設定管理部１２６は、設定履歴テーブル１２７、独立性方式関連管理テーブル１２９、採用率方式関連管理テーブル１３０を含む。ＪＤＦ設定管理部１２６、設定履歴テーブル１２７は、実施の形態１と同様の機能であるため、重複する説明を省略する。
【０２３４】
独立性方式関連管理テーブル１２９は、実施の形態１における独立性方式が用いられた関連管理テーブル１２８と同様の情報構成及び機能を持つデータテーブルである。また、採用率方式関連管理テーブル１３０は、実施の形態１における採用率方式が用いられた関連管理テーブル１２８と同様の情報構成及び機能を持つデータテーブルである。そのため、実施の形態１と重複する説明を省略する。
【０２３５】
図３４は、本実施形態に係る印刷設定項目の設定値に対して関連推奨レベルを割り当てる処理を示すフローチャートである。図３４に示す処理において、まず、ＪＤＦ設定管理部１２６は、印刷設定の項目における所定の設定値に対して、独立性の検定を実施する（Ｓ３４０１）。所定の設定値は、上述したように、初期値としてＨＷＦシステムに予め設定されている値、切り替え前のＲＩＰエンジン１２０の設定値として設定されている値等を用いることが出来る。
【０２３６】
Ｓ３４０１の処理の結果、関連推奨レベル１であった場合（Ｓ３４０２／Ｙｅｓ）、ＪＤＦ設定管理部１２６は、ＲＩＰエンジン１２０の切り替え前の印刷設定の項目におけるその他の設定値において、採用率を算出する（Ｓ３４０３）。尚、Ｓ３４０１の処理の結果、関連推奨レベル１であった所定の設定値と、ＲＩＰエンジン１２０の切り替え前の印刷設定の項目の設定値との間は関連性が小さい設定値である。
【０２３７】
Ｓ３４０３の処理において、採用率が最大であった設定値に対して（Ｓ３４０４／Ｙｅｓ）、ＪＤＦ設定管理部１２６は、関連推奨レベルをレベル３に設定して、採用率方式関連管理テーブル１３０を更新する（Ｓ３４０５）。そして、全ての印刷設定の項目における所定の設定値に対して、Ｓ３４０１〜Ｓ３４０５の処理を行うと（Ｓ３４０６／Ｙｅｓ）、ＪＤＦ設定管理部１２６は、本処理を終了させる。
【０２３８】
Ｓ３４０２において、印刷設定の項目における所定の設定値の関連推奨レベルがレベル１ではない場合（Ｓ３４０２／Ｎｏ）、ＪＤＦ設定管理部１２６は、その所定の設定値を変更せずに、Ｓ３４０６の処理を実行する。また、Ｓ３４０４において、採用率が最大ではない設定値に対して（Ｓ３４０４／Ｎｏ）、ＪＤＦ設定管理部１２６は、関連推奨レベルの設定を行わずに、Ｓ３４０６の処理を実行する。
【０２３９】
尚、Ｓ３４０４の処理において、ＪＤＦ設定管理部１２６は、採用率が最大であると判断された設定値に対して、関連推奨レベルを割り当てずに、ＲＩＰエンジン１２０切り替え後の印刷設定ＵＩに優先的に表示させる構成であってもよい。このような構成である場合、ユーザがＲＩＰエンジン１２０を切り替えた後の印刷設定において任意に設定した設定値の中から、最も設定回数が多い設定値がＲＩＰエンジン１２０切り替え後の印刷設定ＵＩに表示されるため、ユーザの利便性を更に高めることが出来る。
【０２４０】
また、Ｓ３４０２の処理において、ＪＤＦ設定管理部１２６は、所定の設定値の関連推奨レベルがレベル２であっても、同様の判定処理を行う構成であってもよい。
【符号の説明】
【０２４１】
１  デジタルプリンタ
２  オフセットプリンタ
３  後処理装置
４、４ａ、４ｂ  ＨＷＦサーバ
５、５ａ、５ｂ  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  ＤＦＥ
１０１  ネットワークＩ／Ｆ
１０２  ディスプレイ
１１１  ジョブ受信部
１１２  個別ジョブ受信部
１１３  システム制御部
１１４  ジョブデータ格納部
１１５  ＵＩ制御部
１１６  ジョブ制御部
１１７  ＪＤＦ解析部
１１８  ＲＩＰ部
１１９  ＲＩＰ制御部
１２０  ＲＩＰエンジン
１２１  画像格納部
１２２  プリンタ制御部
１２３  デバイス情報管理部
１２４  デバイス情報通信部
１２６  ＪＤＦ設定管理部
１２７  設定履歴テーブル
１２８  関連管理テーブル
１２９  独立性方式関連管理テーブル
１３０  採用率方式関連管理テーブル
１５０  デジタルエンジン
２００  ＣＴＰ
２０１  制御部
２０２  入力部
２０３  ＲＩＰパラメータ解析部
２０４  プリフライト処理部
２０５  ノーマライズ処理部
２０６  マーク処理部
２０７  フォント処理部
２０９  ＣＭＭ処理部
２１０  Ｔｒａｐｐｉｎｇ処理部
２１１  Ｃａｌｉｂｒａｔｉｏｎ処理部
２１２  Ｓｃｒｅｅｎｉｎｇ処理部
２１３  出力部
２１４  ジョブ属性解析部
２１５  ＲＩＰステータス解析部
２１６  ＲＩＰステータス管理部
２１７  レイアウト処理部
２１８  レンダリング処理部
４００  ＨＷＦコントローラ
４０１  ネットワークＩ／Ｆ
４１０  システム制御部
４１１  データ受信部
４１２  ＵＩ制御部
４１３  ジョブ制御部
４１４  ジョブデータ格納部
４１５  デバイス情報通信部
４１６  デバイス情報管理部
４１７  デバイス情報格納部
４１８  ワークフロー制御部
４１９  ワークフロー情報格納部
４２０  ＲＩＰエンジン
４２１  ジョブ送受信部
【先行技術文献】
【特許文献】
【０２４２】
【特許文献１】特開２０１０−１１１０７５号公報
【図１】
0006604217.tif 000002
【図２】
0006604217.tif 000003
【図３】
0006604217.tif 000004
【図４】
0006604217.tif 000005
【図５】
0006604217.tif 000006
【図６】
0006604217.tif 000007
【図７】
0006604217.tif 000008
【図８】
0006604217.tif 000009
【図９】
0006604217.tif 000010
【図１０】
0006604217.tif 000011
【図１１】
0006604217.tif 000012
【図１２】
0006604217.tif 000013
【図１３】
0006604217.tif 000014
【図１４】
0006604217.tif 000015
【図１５】
0006604217.tif 000016
【図１６】
0006604217.tif 000017
【図１７】
0006604217.tif 000018
【図１８】
0006604217.tif 000019
【図１９】
0006604217.tif 000020
【図２０】
0006604217.tif 000021
【図２１】
0006604217.tif 000022
【図２２】
0006604217.tif 000023
【図２３】
0006604217.tif 000024
【図２４】
0006604217.tif 000025
【図２５】
0006604217.tif 000026
【図２６】
0006604217.tif 000027
【図２７】
0006604217.tif 000028
【図２８】
0006604217.tif 000029
【図２９】
0006604217.tif 000030
【図３０】
0006604217.tif 000031
【図３１】
0006604217.tif 000032
【図３２】
0006604217.tif 000033
【図３３】
0006604217.tif 000034
【図３４】
0006604217.tif 000035